(57)【要約】  本発明の実施例は切り替え方法、基地局及び端末を開示する。該方法は、基地局が狭帯域幅受信モードの切り替えメッセージを設定し、前記切り替えメッセージに、端末に指示する、前記狭帯域幅受信モードに入る時間及び前記狭帯域幅受信モードに入る時の周波数帯域における狭帯域幅の位置が含まれることと、前記端末へ前記切り替えメッセージを送信し、前記切り替えメッセージに示される狭帯域幅に切り替えて情報を受信するように前記端末に指示し、ここで、前記狭帯域幅の幅がシステム帯域幅の幅より小さいこととを含む。本発明の実施例を採用すると、端末は狭帯域幅で信号を受信することができ、端末の電力消費を低減することに役立つ。
2020515108.tif 000002
【特許請求の範囲】
【請求項１】
切り替え方法であって、
基地局は、狭帯域幅受信モードの切り替えメッセージを設定し、前記切り替えメッセージに、端末に指示する、前記狭帯域幅受信モードに入る時間及び前記狭帯域幅受信モードに入る時の周波数帯域における狭帯域幅の位置が含まれることと、
前記端末へ前記切り替えメッセージを送信し、前記切り替えメッセージに示される狭帯域幅に切り替えて情報を受信するように前記端末に指示し、ここで、前記狭帯域幅の幅がシステム帯域幅の幅より小さいこととを含む、前記切り替え方法。
【請求項２】
前記切り替え方法はさらに、
前記狭帯域幅に位置する物理ダウンリンク制御チャネルで前記端末に対するダウンリンク制御情報を送信することを含み、
前記ダウンリンク制御情報が、前記端末に対応する端末特定サーチスペースに位置し且つ前記端末に対応する制御チャネルユニットアグリゲーションレベルを使用することを特徴とする
請求項１に記載の切り替え方法。
【請求項３】
前記切り替え方法はさらに、
前記端末が前記狭帯域幅受信モードで狭帯域信号を検出する持続時間長及び狭帯域信号を検出する間隔周期を予め設定し、前記狭帯域信号を検出する持続時間長及び狭帯域信号を検出する間隔周期を前記端末に送信すること、
又は、前記端末へ狭帯域信号の検出を停止する時刻及び信号の検出を再度開始する時刻の情報を送信することを含むことを特徴とする
請求項１又は２に記載の切り替え方法。
【請求項４】
前記端末が前記切り替えメッセージに示される狭帯域幅に切り替えて情報を受信した後、前記切り替え方法はさらに、
前記端末へ前記周波数帯域インデックスと切り替え遅延を送信し、他の狭帯域幅又は他のシステム帯域幅に切り替えるように前記端末に指示することを含み、
ここで、前記周波数帯域インデックスが、異なる周波数領域位置に位置する前記端末が切り替える帯域幅を示すことに用いられ、前記切り替え遅延が、現在の時刻から前記端末が前記周波数帯域インデックスに示される帯域幅で信号を受信し始める時刻までの時間オフセットを示すことに用いられることを特徴とする
請求項３に記載の切り替え方法。
【請求項５】
前記端末が前記狭帯域幅受信モードにある時に、前記切り替え方法はさらに、
前記狭帯域幅の物理ダウンリンク制御チャネルで、前記端末のために、ダウンリンクデータを含む物理ダウンリンク共有チャネルをスケジューリングし、ここで、前記ダウンリンクデータが予め設定されたキャパシティより小さいことを含むことを特徴とする
請求項３に記載の切り替え方法。
【請求項６】
前記物理ダウンリンク共有チャネルの周波数領域リソースが前記狭帯域幅内に位置し、前記狭帯域幅の物理ダウンリンク制御チャネルで送信されたダウンリンク制御情報に、前記物理ダウンリンク共有チャネルに割り当てられた周波数領域リソースに対応するリソースインデックス及び前記ダウンリンクデータの変調符号化方式が含まれることを特徴とする
請求項５に記載の切り替え方法。
【請求項７】
前記端末が前記狭帯域幅受信モードにある時に、前記切り替え方法はさらに、
前記狭帯域幅の物理ダウンリンク制御チャネルで、前記端末へアップリンク伝送に対する確認フィードバック信号とハイブリッド自動再送プロセス識別子を送信することを含むことを特徴とする
請求項３に記載の切り替え方法。
【請求項８】
切り替え方法であって、
端末は、基地局によって設定された狭帯域幅受信モードの切り替えメッセージを受信し、前記切り替えメッセージに、端末に指示する、前記狭帯域幅受信モードに入る時間及び前記狭帯域幅受信モードに入る時の周波数帯域における狭帯域幅の位置が含まれることと、
前記切り替えメッセージに示される狭帯域幅に切り替えて情報を受信し、ここで、前記狭帯域幅の幅がシステム帯域幅の幅より小さいこととを含む、前記切り替え方法。
【請求項９】
前記切り替え方法はさらに、
前記狭帯域幅に位置する物理ダウンリンク制御チャネルにおける前記端末に対するダウンリンク制御情報を受信することを含み、
前記ダウンリンク制御情報が、前記端末に対応する端末特定サーチスペースに位置し且つ前記端末に対応する制御チャネルユニットアグリゲーションレベルを使用することを特徴とする
請求項８に記載の切り替え方法。
【請求項１０】
前記切り替え方法はさらに、
前記基地局によって予め設定された、前記端末が前記狭帯域幅受信モードで狭帯域信号を検出する持続時間長及び狭帯域信号を検出する間隔周期を受信し、前記間隔周期内で受信機をオフにすること、
又は、前記基地局から送信された、狭帯域信号の検出を停止する時刻及び信号の検出を再度開始する時刻の情報を受信し、狭帯域信号の検出を停止する時刻に受信機をオフにし、信号の検出を再度開始する時刻に受信機をオンにすることを含むことを特徴とする
請求項８又は９に記載の切り替え方法。
【請求項１１】
前記端末が前記切り替えメッセージに示される狭帯域幅に切り替えて情報を受信した後、前記切り替え方法はさらに、
前記基地局から送信された周波数帯域インデックスと切り替え遅延を受信し、前記周波数帯域インデックスと切り替え遅延に基づいて他の狭帯域幅又は他のシステム帯域幅に切り替えることを含み、
ここで、前記周波数帯域インデックスが、異なる周波数領域位置に位置する前記端末が切り替える帯域幅を示すことに用いられ、前記切り替え遅延が、現在の時刻から前記端末が前記周波数帯域インデックスに示される帯域幅で信号を受信し始める時刻までの時間オフセットを示すことに用いられることを特徴とする
請求項１０に記載の切り替え方法。
【請求項１２】
前記端末が前記狭帯域幅受信モードにある時に、前記切り替え方法はさらに、
前記狭帯域幅の物理ダウンリンク制御チャネルで、前記基地局によって前記端末のためにスケジューリングされた、ダウンリンクデータを含む物理ダウンリンク共有チャネルを受信し、ここで、前記ダウンリンクデータが予め設定されたキャパシティより小さいことを含むことを特徴とする
請求項１０に記載の切り替え方法。
【請求項１３】
前記物理ダウンリンク共有チャネルの周波数領域リソースが前記狭帯域幅内に位置し、前記狭帯域幅の物理ダウンリンク制御チャネルで受信されたダウンリンク制御情報に、前記物理ダウンリンク共有チャネルに割り当てられた周波数領域リソースに対応するリソースインデックス及び前記ダウンリンクデータの変調符号化方式が含まれることを特徴とする
請求項１２に記載の切り替え方法。
【請求項１４】
前記端末が前記狭帯域幅受信モードにある時に、前記切り替え方法はさらに、
前記狭帯域幅の物理ダウンリンク制御チャネルで、前記基地局から送信された、アップリンク伝送に対する確認フィードバック信号とハイブリッド自動再送プロセス識別子を受信することを含むことを特徴とする
請求項１０に記載の切り替え方法。
【請求項１５】
基地局であって、
狭帯域幅受信モードの切り替えメッセージを設定するように構成され、前記切り替えメッセージに、端末に指示する、前記狭帯域幅受信モードに入る時間及び前記狭帯域幅受信モードに入る時の周波数帯域における狭帯域幅の位置が含まれる設定ユニットと、
前記端末へ前記切り替えメッセージを送信し、前記切り替えメッセージに示される狭帯域幅に切り替えて情報を受信するように前記端末に指示するように構成され、ここで、前記狭帯域幅の幅がシステム帯域幅の幅より小さい送信ユニットとを備える、前記基地局。
【請求項１６】
前記送信ユニットは、さらに前記狭帯域幅に位置する物理ダウンリンク制御チャネルで前記端末に対するダウンリンク制御情報を送信するように構成され、
前記ダウンリンク制御情報が、前記端末に対応する端末特定サーチスペースに位置し且つ前記端末に対応する制御チャネルユニットアグリゲーションレベルを使用することを特徴とする
請求項１５に記載の基地局。
【請求項１７】
前記設定ユニットはさらに前記端末が前記狭帯域幅受信モードで狭帯域信号を検出する持続時間長及び狭帯域信号を検出する間隔周期を予め設定するように構成され、前記送信ユニットはさらに前記狭帯域信号を検出する持続時間長及び狭帯域信号を検出する間隔周期を前記端末に送信するように構成され、
又は、前記送信ユニットはさらに前記端末へ狭帯域信号の検出を停止する時刻及び信号の検出を再度開始する時刻の情報を送信するように構成されることを特徴とする
請求項１５又は１６に記載の基地局。
【請求項１８】
前記送信ユニットはさらに前記端末が前記切り替えメッセージに示される狭帯域幅に切り替えて情報を受信した後、前記端末へ前記周波数帯域インデックスと切り替え遅延を送信し、他の狭帯域幅又は他のシステム帯域幅に切り替えるように前記端末に指示するように構成され、
ここで、前記周波数帯域インデックスが、異なる周波数領域位置に位置する前記端末が切り替える帯域幅を示すことに用いられ、前記切り替え遅延が、現在の時刻から前記端末が前記周波数帯域インデックスに示される帯域幅で信号を受信し始める時刻までの時間オフセットを示すことに用いられることを特徴とする
請求項１７に記載の基地局。
【請求項１９】
前記送信ユニットはさらに前記端末が前記狭帯域幅受信モードにある時に、前記狭帯域幅の物理ダウンリンク制御チャネルで、前記端末のために、ダウンリンクデータを含む物理ダウンリンク共有チャネルをスケジューリングするように構成され、ここで、前記ダウンリンクデータが予め設定されたキャパシティより小さいことを特徴とする
請求項１７に記載の基地局。
【請求項２０】
前記物理ダウンリンク共有チャネルの周波数領域リソースが前記狭帯域幅内に位置し、前記狭帯域幅の物理ダウンリンク制御チャネルで送信されたダウンリンク制御情報に、前記物理ダウンリンク共有チャネルに割り当てられた周波数領域リソースに対応するリソースインデックス及び前記ダウンリンクデータの変調符号化方式が含まれることを特徴とする
請求項１９に記載の基地局。
【請求項２１】
前記送信ユニットはさらに前記端末が前記狭帯域幅受信モードにある時に、前記狭帯域幅の物理ダウンリンク制御チャネルで、前記端末へアップリンク伝送に対する確認フィードバック信号とハイブリッド自動再送プロセス識別子を送信するように構成されることを特徴とする
請求項１７に記載の基地局。
【請求項２２】
基地局であって、
プロセッサ、メモリ、送受信機とバスを備え、前記プロセッサ、メモリと送受信機がバスを介して接続され、ここで、前記送受信機が信号を送受信し、端末と通信するように構成され、前記メモリが一組のプログラムコードを記憶するように構成され、前記プロセッサが前記メモリに記憶されたプログラムコードを呼び出し、下記の操作を実行するように構成される、前記基地局。
狭帯域幅受信モードの切り替えメッセージを設定し、前記切り替えメッセージに、端末に指示する、前記狭帯域幅受信モードに入る時間及び前記狭帯域幅受信モードに入る時の周波数帯域における狭帯域幅の位置が含まれ、
前記送受信機を介して前記端末へ前記切り替えメッセージを送信し、前記切り替えメッセージに示される狭帯域幅に切り替えて情報を受信するように前記端末に指示し、ここで、前記狭帯域幅の幅がシステム帯域幅の幅より小さい。
【請求項２３】
前記プロセッサは、さらに前記送受信機を介して前記狭帯域幅に位置する物理ダウンリンク制御チャネルで前記端末に対するダウンリンク制御情報を送信するように構成され、
前記ダウンリンク制御情報が、前記端末に対応する端末特定サーチスペースに位置し且つ前記端末に対応する制御チャネルユニットアグリゲーションレベルを使用することを特徴とする
請求項２２に記載の基地局。
【請求項２４】
前記プロセッサは、さらに前記端末が前記狭帯域幅受信モードで狭帯域信号を検出する持続時間長及び狭帯域信号を検出する間隔周期を予め設定し、前記狭帯域信号を検出する持続時間長及び狭帯域信号を検出する間隔周期を前記送受信機を介して前記端末に送信するように構成され、
又は、狭帯域信号の検出を停止する時刻及び信号の検出を再度開始する時刻の情報を前記送受信機を介して前記端末に送信するように構成されることを特徴とする
請求項２２又は２３に記載の基地局。
【請求項２５】
前記プロセッサは、さらに前記端末が前記切り替えメッセージに示される狭帯域幅に切り替えて情報を受信した後、前記端末へ前記周波数帯域インデックスと切り替え遅延を送信し、他の狭帯域幅又は他のシステム帯域幅に切り替えるように前記端末に指示するように構成され、
ここで、前記周波数帯域インデックスが、異なる周波数領域位置に位置する前記端末が切り替える帯域幅を示すことに用いられ、前記切り替え遅延が、現在の時刻から前記端末が前記周波数帯域インデックスに示される帯域幅で信号を受信し始める時刻までの時間オフセットを示すことに用いられることを特徴とする
請求項２４に記載の基地局。
【請求項２６】
前記プロセッサは、さらに前記端末が前記狭帯域幅受信モードにある時に、前記狭帯域幅の物理ダウンリンク制御チャネルで、前記端末のために、ダウンリンクデータを含む物理ダウンリンク共有チャネルをスケジューリングするように構成され、ここで、前記ダウンリンクデータが予め設定されたキャパシティより小さいことを特徴とする
請求項２４に記載の基地局。
【請求項２７】
前記物理ダウンリンク共有チャネルの周波数領域リソースが前記狭帯域幅内に位置し、前記狭帯域幅の物理ダウンリンク制御チャネルで送信されたダウンリンク制御情報に、前記物理ダウンリンク共有チャネルに割り当てられた周波数領域リソースに対応するリソースインデックス及び前記ダウンリンクデータの変調符号化方式が含まれることを特徴とする
請求項２６に記載の基地局。
【請求項２８】
前記プロセッサは、さらに前記端末が前記狭帯域幅受信モードにある時に、前記狭帯域幅の物理ダウンリンク制御チャネルで、前記送受信機を介して前記端末へアップリンク伝送に対する確認フィードバック信号とハイブリッド自動再送プロセス識別子を送信するように構成されることを特徴とする
請求項２４に記載の基地局。
【請求項２９】
端末であって、
基地局によって設定された狭帯域幅受信モードの切り替えメッセージを受信するように構成され、前記切り替えメッセージに、端末に指示する、前記狭帯域幅受信モードに入る時間及び前記狭帯域幅受信モードに入る時の周波数帯域における狭帯域幅の位置が含まれる受信ユニットと、
前記切り替えメッセージに示される狭帯域幅に切り替えて情報を受信するように構成され、ここで、前記狭帯域幅の幅がシステム帯域幅の幅より小さい切り替えユニットとを備える、前記端末。
【請求項３０】
前記受信ユニットは、さらに前記狭帯域幅に位置する物理ダウンリンク制御チャネルにおける前記端末に対するダウンリンク制御情報を受信するように構成され、
前記ダウンリンク制御情報が、前記端末に対応する端末特定サーチスペースに位置し且つ前記端末に対応する制御チャネルユニットアグリゲーションレベルを使用することを特徴とする
請求項２９に記載の端末。
【請求項３１】
前記受信ユニットは、さらに前記基地局によって予め設定された、前記端末が前記狭帯域幅受信モードで狭帯域信号を検出する持続時間長及び狭帯域信号を検出する間隔周期を受信し、前記間隔周期内で受信機をオフにするように構成され、
又は、前記基地局から送信された、狭帯域信号の検出を停止する時刻及び信号の検出を再度開始する時刻の情報を受信し、狭帯域信号の検出を停止する時刻に受信機をオフにし、信号の検出を再度開始する時刻に受信機をオンにするように構成されることを特徴とする
請求項２９又は３０に記載の端末。
【請求項３２】
前記受信ユニットは、さらに前記端末が前記切り替えメッセージに示される狭帯域幅に切り替えて情報を受信した後、前記基地局から送信された周波数帯域インデックスと切り替え遅延を受信するように構成され、前記切り替えユニットは、さらに前記周波数帯域インデックスと切り替え遅延に基づいて他の狭帯域幅又は他のシステム帯域幅に切り替えるように構成され、
ここで、前記周波数帯域インデックスが、異なる周波数領域位置に位置する前記端末が切り替える帯域幅を示すことに用いられ、前記切り替え遅延が、現在の時刻から前記端末が前記周波数帯域インデックスに示される帯域幅で信号を受信し始める時刻までの時間オフセットを示すことに用いられることを特徴とする
請求項３１に記載の端末。
【請求項３３】
前記端末が前記狭帯域幅受信モードにある時に、前記受信ユニットはさらに前記狭帯域幅の物理ダウンリンク制御チャネルで、前記基地局によって前記端末のためにスケジューリングされた、ダウンリンクデータを含む物理ダウンリンク共有チャネルを受信するように構成され、ここで、前記ダウンリンクデータが予め設定されたキャパシティより小さいことを特徴とする
請求項３１に記載の端末。
【請求項３４】
前記物理ダウンリンク共有チャネルの周波数領域リソースが前記狭帯域幅内に位置し、前記狭帯域幅の物理ダウンリンク制御チャネルで受信されたダウンリンク制御情報に、前記物理ダウンリンク共有チャネルに割り当てられた周波数領域リソースに対応するリソースインデックス及び前記ダウンリンクデータの変調符号化方式が含まれることを特徴とする
請求項３３に記載の端末。
【請求項３５】
前記端末が前記狭帯域幅受信モードにある時に、前記受信ユニットはさらに前記狭帯域幅の物理ダウンリンク制御チャネルで、前記基地局から送信されたアップリンク伝送に対する確認フィードバック信号とハイブリッド自動再送プロセス識別子を受信するように構成されることを特徴とする
請求項３１に記載の端末。
【請求項３６】
端末であって、
プロセッサ、メモリ、送信機、受信機とバスを備え、前記プロセッサ、メモリ、送信機と受信機がバスを介して接続され、ここで、前記送信機が信号を送信するように構成され、前記受信機が信号を受信するように構成され、前記送信機と前記受信機がそれぞれ独立して設置され又は統合して設置され、前記メモリが一組のプログラムコードを記憶するように構成され、前記プロセッサが前記メモリに記憶されたプログラムコードを呼び出し、下記の操作を実行するように構成される、前記端末。
基地局によって設定された狭帯域幅受信モードの切り替えメッセージを前記受信機を介して受信し、前記切り替えメッセージに、端末に指示する、前記狭帯域幅受信モードに入る時間及び前記狭帯域幅受信モードに入る時の周波数帯域における狭帯域幅の位置が含まれ、
前記切り替えメッセージに示される狭帯域幅に切り替えて情報を受信し、ここで、前記狭帯域幅の幅がシステム帯域幅の幅より小さいこととを含む。
【請求項３７】
前記プロセッサは、さらに前記受信機を介して前記狭帯域幅に位置する物理ダウンリンク制御チャネルにおける前記端末に対するダウンリンク制御情報を受信するように構成され、
前記ダウンリンク制御情報が、前記端末に対応する端末特定サーチスペースに位置し且つ前記端末に対応する制御チャネルユニットアグリゲーションレベルを使用することを特徴とする
請求項３６に記載の端末。
【請求項３８】
前記プロセッサは、さらに前記基地局によって予め設定された、前記端末が前記狭帯域幅受信モードで狭帯域信号を検出する持続時間長及び狭帯域信号を検出する間隔周期を前記受信機を介して受信し、前記間隔周期内で前記受信機をオフにするように構成され、
又は、前記基地局から送信された、狭帯域信号の検出を停止する時刻及び信号の検出を再度開始する時刻の情報を前記受信機を介して受信し、狭帯域信号の検出を停止する時刻に受信機をオフにし、信号の検出を再度開始する時刻に受信機をオンにするように構成されることを特徴とする
請求項３６又は３７に記載の端末。
【請求項３９】
前記プロセッサは、さらに前記端末が前記切り替えメッセージに示される狭帯域幅に切り替えて情報を受信した後、前記基地局から送信された周波数帯域インデックスと切り替え遅延を前記受信機を介して受信し、前記周波数帯域インデックスと切り替え遅延に基づいて他の狭帯域幅又は他のシステム帯域幅に切り替えるように構成され、
ここで、前記周波数帯域インデックスが、異なる周波数領域位置に位置する前記端末が切り替える帯域幅を示すことに用いられ、前記切り替え遅延が、現在の時刻から前記端末が前記周波数帯域インデックスに示される帯域幅で信号を受信し始める時刻までの時間オフセットを示すことに用いられることを特徴とする
請求項３８に記載の端末。
【請求項４０】
前記プロセッサは、さらに前記端末が前記狭帯域幅受信モードにある時に、前記狭帯域幅の物理ダウンリンク制御チャネルで、前記基地局によって前記端末のためにスケジューリングされた、ダウンリンクデータを含む物理ダウンリンク共有チャネルを前記受信機を介して受信するように構成され、ここで、前記ダウンリンクデータが予め設定されたキャパシティより小さいことを特徴とする
請求項３８に記載の端末。
【請求項４１】
前記物理ダウンリンク共有チャネルの周波数領域リソースが前記狭帯域幅内に位置し、前記狭帯域幅の物理ダウンリンク制御チャネルで受信されたダウンリンク制御情報に、前記物理ダウンリンク共有チャネルに割り当てられた周波数領域リソースに対応するリソースインデックス及び前記ダウンリンクデータの変調符号化方式が含まれることを特徴とする
請求項４０に記載の端末。
【請求項４２】
前記プロセッサは、さらに前記端末が前記狭帯域幅受信モードにある時に、前記狭帯域幅の物理ダウンリンク制御チャネルで、前記基地局から送信されたアップリンク伝送に対する確認フィードバック信号とハイブリッド自動再送プロセス識別子を前記受信機を介して受信するように構成されることを特徴とする
請求項３８に記載の端末。
【請求項４３】
切り替え方法であって、
基地局は、狭帯域幅受信モードの切り替えメッセージを設定し、前記切り替えメッセージに、端末に指示する、前記狭帯域幅受信モードに入る時間及び前記狭帯域幅受信モードに入る時の周波数帯域における狭帯域幅の位置が含まれることと、
前記端末へ前記切り替えメッセージを送信し、前記切り替えメッセージに示される狭帯域幅に切り替えて情報を受信するように前記端末に指示し、ここで、前記狭帯域幅の幅がシステム帯域幅の幅より小さく、前記狭帯域幅が第一の狭帯域幅又は第二の狭帯域幅を含み、前記第一の狭帯域幅の物理ダウンリンク制御チャネルに端末特定サーチスペースが含まれ、前記第二の狭帯域幅の物理ダウンリンク制御チャネルに共通サーチスペースが含まれることとを含む、前記切り替え方法。
【請求項４４】
前記第一の狭帯域幅と前記第二の狭帯域幅を切り替える必要がある場合、前記切り替え方法はさらに、
前記基地局は、前記端末が前記第一の狭帯域幅と前記第二の狭帯域幅をそれぞれ検出するための検出パラメータを設定し、前記検出パラメータが検出の時間帯を含み、又は検出の周期、開始時刻と一回検出の時間長を含むことと、
前記検出パラメータを前記端末に送信し、前記検出パラメータに基づいて切り替え及び検出を行うように前記端末に指示することとを含むことを特徴とする
請求項４３に記載の切り替え方法。
【請求項４５】
前記第一の狭帯域幅と前記第二の狭帯域幅を切り替える必要がある場合、前記切り替え方法はさらに、
前記第一の狭帯域幅に位置する物理ダウンリンク制御チャネルで前記端末に対するダウンリンク制御情報を送信し、前記第二の狭帯域幅の物理ダウンリンク制御チャネルに含まれる共通サーチスペースを検出するように前記端末をトリガし、前記ダウンリンク制御情報に、前記第二の狭帯域幅の時間周波数位置、端末の検出の持続時間、及び検出が完了された後に端末が監視する必要がある狭帯域幅が含まれることを含むことを特徴とする
請求項４３に記載の切り替え方法。
【請求項４６】
前記第一の狭帯域幅と前記第二の狭帯域幅を切り替える必要がある場合、前記切り替え方法はさらに、
前記基地局は、前記第二の狭帯域幅を検出する周期を設定することと、
前記周期の情報を前記端末に送信し、前記周期に基づいて前記第二の狭帯域幅の物理ダウンリンク制御チャネルに含まれる共通サーチスペースを検出するように前記端末に指示することと、
前記周期内で、前記第一の狭帯域幅と前記第二の狭帯域幅を切り替える必要がある場合、前記第一の狭帯域幅に位置する物理ダウンリンク制御チャネルで前記端末に対するダウンリンク制御情報を送信し、前記第二の狭帯域幅の物理ダウンリンク制御チャネルに含まれる共通サーチスペースを検出するように前記端末をトリガし、前記ダウンリンク制御情報に、前記第二の狭帯域幅の時間周波数位置、端末の検出の持続時間、及び検出が完了された後に端末が監視する必要がある狭帯域幅が含まれることとを含むことを特徴とする
請求項４３に記載の切り替え方法。
【請求項４７】
前記周期内で、前記端末が前記第一の狭帯域幅と前記第二の狭帯域幅を切り替える場合、前記切り替え方法はさらに、
前記基地局は、前記端末に指示するための、前記周期に基づく前記第二の狭帯域幅の検出を一時停止するプリセット時間長を設定することと、
前記プリセット時間長を前記端末に送信し、前記プリセット時間長内で前記周期に基づく前記第二の狭帯域幅の検出を一時停止するように前記端末に指示することと、
前記プリセット時間長内で、前記第一の狭帯域幅と前記第二の狭帯域幅を切り替える必要がある場合、再度、前記第一の狭帯域幅に位置する物理ダウンリンク制御チャネルで前記端末に対するダウンリンク制御情報を送信し、前記第二の狭帯域幅の物理ダウンリンク制御チャネルに含まれる共通サーチスペースを検出するように前記端末をトリガすることとを含むことを特徴とする
請求項４６に記載の切り替え方法。
【請求項４８】
切り替え方法であって、
端末は、基地局によって設定された狭帯域幅受信モードの切り替えメッセージを受信し、前記切り替えメッセージに、端末に指示する、前記狭帯域幅受信モードに入る時間及び前記狭帯域幅受信モードに入る時の周波数帯域における狭帯域幅の位置が含まれることと、
前記切り替えメッセージに示される狭帯域幅に切り替えて情報を受信し、ここで、前記狭帯域幅の幅がシステム帯域幅の幅より小さく、前記狭帯域幅が第一の狭帯域幅又は第二の狭帯域幅を含み、前記第一の狭帯域幅の物理ダウンリンク制御チャネルに端末特定サーチスペースが含まれ、前記第二の狭帯域幅の物理ダウンリンク制御チャネルに共通サーチスペースが含まれることとを含む、前記切り替え方法。
【請求項４９】
前記第一の狭帯域幅と前記第二の狭帯域幅を切り替える必要がある場合、前記切り替え方法はさらに、
前記端末は、前記基地局から送信された検出パラメータを受信し、前記検出パラメータが、前記基地局によって設定された、前記端末が前記第一の狭帯域幅と前記第二の狭帯域幅をそれぞれ検出するための検出パラメータであり、前記検出パラメータが検出の時間帯を含み、又は検出の周期、開始時刻と一回検出の時間長を含むことと、前記端末が前記検出パラメータに基づいて切り替え及び検出を行うこととを含むことを特徴とする
請求項４８に記載の切り替え方法。
【請求項５０】
前記第一の狭帯域幅と前記第二の狭帯域幅を切り替える必要がある場合、前記切り替え方法はさらに、
前記端末は、前記基地局が前記第一の狭帯域幅に位置する物理ダウンリンク制御チャネルで送信した前記端末に対するダウンリンク制御情報を受信することと、
前記ダウンリンク制御情報に基づいて前記第二の狭帯域幅の物理ダウンリンク制御チャネルに含まれる共通サーチスペースを検出し、前記ダウンリンク制御情報に、前記第二の狭帯域幅の時間周波数位置、端末の検出の持続時間、及び検出が完了された後に端末が監視する必要がある狭帯域幅が含まれることとを含むことを特徴とする
請求項４８に記載の切り替え方法。
【請求項５１】
前記第一の狭帯域幅と前記第二の狭帯域幅を切り替える必要がある場合、前記切り替え方法はさらに、
前記端末は、前記基地局によって設定された、前記第二の狭帯域幅を検出する周期の情報を受信することと、
前記周期に基づいて前記第二の狭帯域幅の物理ダウンリンク制御チャネルに含まれる共通サーチスペースを検出することと、
前記周期内で、前記基地局が前記第一の狭帯域幅に位置する物理ダウンリンク制御チャネルで送信した前記端末に対するダウンリンク制御情報を受信した場合、前記端末は、前記第二の狭帯域幅の物理ダウンリンク制御チャネルに含まれる共通サーチスペースを検出し、前記ダウンリンク制御情報に、前記第二の狭帯域幅の時間周波数位置、端末の検出の持続時間、及び検出が完了された後に端末が監視する必要がある狭帯域幅が含まれることとを含むことを特徴とする
請求項４８に記載の切り替え方法。
【請求項５２】
前記周期内で、前記端末が前記第一の狭帯域幅と前記第二の狭帯域幅を切り替える場合、前記切り替え方法はさらに、
前記端末は、前記基地局によって設定された、前記端末に指示するための、前記周期に基づく前記第二の狭帯域幅の検出を一時停止するプリセット時間長を受信することと、
前記プリセット時間長内で前記周期に基づく前記第二の狭帯域幅の検出を一時停止することと、
前記プリセット時間長内で、前記基地局が前記第一の狭帯域幅に位置する物理ダウンリンク制御チャネルで送信した前記端末に対するダウンリンク制御情報を再度受信した場合、前記端末は、前記第二の狭帯域幅の物理ダウンリンク制御チャネルに含まれる共通サーチスペースを検出することとを含むことを特徴とする
請求項５１に記載の切り替え方法。
【請求項５３】
基地局であって、
狭帯域幅受信モードの切り替えメッセージを設定するように構成され、前記切り替えメッセージに、端末に指示する、前記狭帯域幅受信モードに入る時間及び前記狭帯域幅受信モードに入る時の周波数帯域における狭帯域幅の位置が含まれる設定ユニットと、
前記端末へ前記切り替えメッセージを送信し、前記切り替えメッセージに示される狭帯域幅に切り替えて情報を受信するように前記端末に指示するように構成され、ここで、前記狭帯域幅の幅がシステム帯域幅の幅より小さく、前記狭帯域幅が第一の狭帯域幅又は第二の狭帯域幅を含み、前記第一の狭帯域幅の物理ダウンリンク制御チャネルに端末特定サーチスペースが含まれ、前記第二の狭帯域幅の物理ダウンリンク制御チャネルに共通サーチスペースが含まれる送信ユニットとを備える、前記基地局。
【請求項５４】
前記第一の狭帯域幅と前記第二の狭帯域幅を切り替える必要がある場合、前記設定ユニットはさらに、前記端末が前記第一の狭帯域幅と前記第二の狭帯域幅をそれぞれ検出するための検出パラメータを設定するように構成され、前記検出パラメータが検出の時間帯を含み、又は検出の周期、開始時刻と一回検出の時間長を含み、
前記送信ユニットはさらに、前記検出パラメータを前記端末に送信し、前記検出パラメータに基づいて切り替え及び検出を行うように前記端末に指示するように構成されることを特徴とする
請求項５３に記載の基地局。
【請求項５５】
前記第一の狭帯域幅と前記第二の狭帯域幅を切り替える必要がある場合、前記送信ユニットはさらに、前記第一の狭帯域幅に位置する物理ダウンリンク制御チャネルで前記端末に対するダウンリンク制御情報を送信し、前記第二の狭帯域幅の物理ダウンリンク制御チャネルに含まれる共通サーチスペースを検出するように前記端末をトリガするように構成され、前記ダウンリンク制御情報に、前記第二の狭帯域幅の時間周波数位置、端末の検出の持続時間、及び検出が完了された後に端末が監視する必要がある狭帯域幅が含まれることを特徴とする
請求項５３に記載の基地局。
【請求項５６】
前記第一の狭帯域幅と前記第二の狭帯域幅を切り替える必要がある場合、前記設定ユニットはさらに前記第二の狭帯域幅を検出する周期を設定するように構成され、
前記送信ユニットはさらに、前記周期の情報を前記端末に送信し、前記周期に基づいて前記第二の狭帯域幅の物理ダウンリンク制御チャネルに含まれる共通サーチスペースを検出するように前記端末に指示するように構成され、
前記周期内で、前記第一の狭帯域幅と前記第二の狭帯域幅を切り替える必要がある場合、前記送信ユニットはさらに前記第一の狭帯域幅に位置する物理ダウンリンク制御チャネルで前記端末に対するダウンリンク制御情報を送信し、前記第二の狭帯域幅の物理ダウンリンク制御チャネルに含まれる共通サーチスペースを検出するように前記端末をトリガするように構成され、前記ダウンリンク制御情報に、前記第二の狭帯域幅の時間周波数位置、端末の検出の持続時間、及び検出が完了された後に端末が監視する必要がある狭帯域幅が含まれることを特徴とする
請求項５３に記載の基地局。
【請求項５７】
前記周期内で、前記端末が前記第一の狭帯域幅と前記第二の狭帯域幅を切り替える場合、前記設定ユニットはさらに、前記端末に指示するための、前記周期に基づく前記第二の狭帯域幅の検出を一時停止するプリセット時間長を設定するように構成され、
前記送信ユニットはさらに、前記プリセット時間長を前記端末に送信し、前記プリセット時間長内で前記周期に基づく前記第二の狭帯域幅の検出を一時停止するように前記端末に指示するように構成され、
前記プリセット時間長内で、前記第一の狭帯域幅と前記第二の狭帯域幅を切り替える必要がある場合、前記送信ユニットはさらに、再度、前記第一の狭帯域幅に位置する物理ダウンリンク制御チャネルで前記端末に対するダウンリンク制御情報を送信し、前記第二の狭帯域幅の物理ダウンリンク制御チャネルに含まれる共通サーチスペースを検出するように前記端末をトリガするように構成されることを特徴とする
請求項５６に記載の基地局。
【請求項５８】
基地局であって、
プロセッサ、メモリ、送受信機とバスを備え、前記プロセッサ、メモリと送受信機がバスを介して接続され、ここで、前記送受信機が信号を送受信し、端末と通信するように構成され、前記メモリが一組のプログラムコードを記憶するように構成され、前記プロセッサが前記メモリに記憶されたプログラムコードを呼び出し、請求項４３−４７のいずれか一項に記載のステップを実行するように構成される、前記基地局。
【請求項５９】
端末であって、
基地局によって設定された狭帯域幅受信モードの切り替えメッセージを受信するように構成され、前記切り替えメッセージに、端末に指示する、前記狭帯域幅受信モードに入る時間及び前記狭帯域幅受信モードに入る時の周波数帯域における狭帯域幅の位置が含まれる受信ユニットと、
前記切り替えメッセージに示される狭帯域幅に切り替えて情報を受信するように構成され、ここで、前記狭帯域幅の幅がシステム帯域幅の幅より小さく、前記狭帯域幅が第一の狭帯域幅又は第二の狭帯域幅を含み、前記第一の狭帯域幅の物理ダウンリンク制御チャネルに端末特定サーチスペースが含まれ、前記第二の狭帯域幅の物理ダウンリンク制御チャネルに共通サーチスペースが含まれる切り替えユニットとを備える、前記端末。
【請求項６０】
前記第一の狭帯域幅と前記第二の狭帯域幅を切り替える必要がある場合、前記受信ユニットはさらに前記基地局から送信された検出パラメータを受信するように構成され、前記検出パラメータが、前記基地局によって設定された、前記端末が前記第一の狭帯域幅と前記第二の狭帯域幅をそれぞれ検出するための検出パラメータであり、前記検出パラメータが検出の時間帯を含み、又は検出の周期、開始時刻と一回検出の時間長を含み、
前記切り替えユニットは、さらに前記検出パラメータに基づいて切り替え及び検出を行うように構成されることを特徴とする
請求項５９に記載の端末。
【請求項６１】
前記第一の狭帯域幅と前記第二の狭帯域幅を切り替える必要がある場合、前記受信ユニットは、さらに前記基地局が前記第一の狭帯域幅に位置する物理ダウンリンク制御チャネルで送信した前記端末に対するダウンリンク制御情報を受信するように構成され、
前記切り替えユニットはさらに前記ダウンリンク制御情報に基づいて前記第二の狭帯域幅の物理ダウンリンク制御チャネルに含まれる共通サーチスペースを検出するように構成され、前記ダウンリンク制御情報に、前記第二の狭帯域幅の時間周波数位置、端末の検出の持続時間、及び検出が完了された後に端末が監視する必要がある狭帯域幅が含まれることを特徴とする
請求項５９に記載の端末。
【請求項６２】
前記第一の狭帯域幅と前記第二の狭帯域幅を切り替える必要がある場合、前記受信ユニットはさらに前記基地局によって設定された、前記第二の狭帯域幅を検出する周期の情報を受信するように構成され、
前記切り替えユニットはさらに前記周期に基づいて前記第二の狭帯域幅の物理ダウンリンク制御チャネルに含まれる共通サーチスペースを検出するように構成され、
前記周期内で、前記受信ユニットが前記基地局が前記第一の狭帯域幅に位置する物理ダウンリンク制御チャネルで送信した前記端末に対するダウンリンク制御情報を受信した場合、前記切り替えユニットはさらに前記第二の狭帯域幅の物理ダウンリンク制御チャネルに含まれる共通サーチスペースを検出するように構成され、前記ダウンリンク制御情報に、前記第二の狭帯域幅の時間周波数位置、端末の検出の持続時間、及び検出が完了された後に端末が監視する必要がある狭帯域幅が含まれることを特徴とする
請求項５９に記載の端末。
【請求項６３】
前記周期内で、前記端末が前記第一の狭帯域幅と前記第二の狭帯域幅を切り替える場合、前記受信ユニットはさらに前記基地局によって設定された、前記端末に指示するための、前記周期に基づく前記第二の狭帯域幅の検出を一時停止するプリセット時間長を受信するように構成され、
前記切り替えユニットはさらに前記プリセット時間長内で前記周期に基づく前記第二の狭帯域幅の検出を一時停止するように構成され、
前記受信ユニットが前記プリセット時間長内で、前記基地局が前記第一の狭帯域幅に位置する物理ダウンリンク制御チャネルで送信した前記端末に対するダウンリンク制御情報を再度受信した場合、前記切り替えユニットはさらに前記第二の狭帯域幅の物理ダウンリンク制御チャネルに含まれる共通サーチスペースを検出するように構成されることを特徴とする
請求項６２に記載の端末。
【請求項６４】
端末であって、
プロセッサ、メモリ、送信機、受信機とバスを備え、前記プロセッサ、メモリ、送信機と受信機がバスを介して接続され、ここで、前記送信機が信号を送信するように構成され、前記受信機が信号を受信するように構成され、前記送信機と前記受信機がそれぞれ独立して設置され又は統合して設置され、前記メモリが一組のプログラムコードを記憶するように構成され、前記プロセッサが前記メモリに記憶されたプログラムコードを呼び出し、請求項４８−５２のいずれか一項に記載されるステップを実行するように構成される、前記端末。
【発明の詳細な説明】
【技術分野】
【０００１】
本発明は通信技術分野に関し、特に切り替え方法、基地局及び端末に関する。
【背景技術】
【０００２】
長期進化型（ＬＴＥ：Ｌｏｎｇ  Ｔｅｒｍ  Ｅｖｏｌｕｔｉｏｎ）システムでは、端末は全システム帯域幅でダウンリンク信号を受信する。ここで、ダウンリンク信号は、物理ダウリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）とダウンリンク共通基準信号、例えばセル特定参照信号（ＣＲＳ：Ｃｅｌｌ−ｓｐｅｃｉｆｉｃ  Ｒｅｆｅｒｅｎｃｅ  Ｓｉｇｎａｌｓ）及びチャネル状態情報基準信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ）とを含む。ＬＴＥシステムによってサポートされるシステム帯域幅は、１．４ＭＨｚ、３ＭＨｚ、５ＭＨｚ、１０ＭＨｚ、１５ＭＨｚと２０ＭＨｚである。ここで典型的且つ広く使用されているシステム帯域幅は２０ＭＨｚと１０ＭＨｚであり、ダウンリンクチャネルにおいてそれぞれ１００個の物理リソースブロック（ＰＲＢ：Ｐｈｙｓｉｃａｌ  Ｒｅｓｏｕｒｃｅ  Ｂｌｏｃｋ）と５０個のＰＲＢに対応する。
【０００３】
従来のＬＴＥシステムでは、通常、端末は現在のダウンリンク制御情報（ＤＣＩ：Ｄｏｗｎｌｉｎｋ  Ｃｏｎｔｒｏｌ  Ｉｎｆｏｒｍａｔｉｏｎ）によって伝送されたのが如何なるフォーマット（ｆｏｒｍａｔ）の情報であるかを知らず、またそれ自身の必要な情報がどこに位置しているかも知らない。しかし、端末は、それ自身が現在どの情報を期待しているかを知り、異なる所望の情報に対して、端末は、対応する無線ネットワーク一時識別子（ＲＮＴＩ：Ｒａｄｉｏ  Ｎｅｔｗｏｒｋ  Ｔｅｍｐｏｒｙ  Ｉｄｅｎｔｉｔｙ）を用いて、ＰＤＣＣＨにおける制御チャネルユニット（ＣＣＥ：Ｃｏｎｔｒｏｌ  Ｃｈａｎｎｅｌ  Ｅｌｅｍｅｎｔ）情報に対して巡回冗長検査（ＣＲＣ：Ｃｙｃｌｉｃ  Ｒｅｄｕｎｄａｎｃｙ  Ｃｈｅｃｋ）を行い、検査が成功した場合、端末は、この情報がそれ自身の必要としている情報であることを知り、そして対応するＤＣＩフォーマット（ｆｏｒｍａｔ）及び変調方式を知り、さらにＤＣＩの内容を得る。これはいわゆるブラインド検出（ｂｌｉｎｄ  ｄｅｔｅｃｔｉｏｎ）プロセスである。端末が常に全ダウンリンクシステム帯域幅でＰＤＣＣＨをブラインド検出するため、端末の電力消費が大きい。特に第５世代移動通信技術（５Ｇ：５−Ｇｅｎｅｒａｔｉｏｎ）システム及び後のシステム帯域幅が大きい移動通信技術システムでは、搬送波の帯域幅が非常に広く、例えば２００ＭＨｚに達することができる。端末が依然としてＬＴＥシステム、即ち第４世代移動通信技術（４−Ｇｅｎｅｒａｔｉｏｎ）システムのように全帯域幅でＰＤＣＣＨを受信する場合、端末の電力消費は非常に高くなる。
【発明の概要】
【発明が解決しようとする課題】
【０００４】
本発明の実施例は、端末が狭帯域幅で信号を受信することができ、端末の電力消費を低減することに役立つ切り替え方法、基地局及び端末を提供する。
【課題を解決するための手段】
【０００５】
本発明の実施例の第一の態様による切り替え方法は、
基地局が狭帯域幅受信モードの切り替えメッセージを設定し、前記切り替えメッセージに、端末に指示する、前記狭帯域幅受信モードに入る時間及び前記狭帯域幅受信モードに入る時の周波数帯域における狭帯域幅の位置が含まれることと、
前記端末へ前記切り替えメッセージを送信し、前記切り替えメッセージに示される狭帯域幅に切り替えて情報を受信するように前記端末に指示し、ここで、前記狭帯域幅の幅がシステム帯域幅の幅より小さいこととを含む。
【０００６】
一つの可能な実施形態では、前記切り替え方法はさらに、
前記狭帯域幅に位置する物理ダウンリンク制御チャネルで前記端末に対するダウンリンク制御情報を送信することを含み、
前記ダウンリンク制御情報が、前記端末に対応する端末特定サーチスペースに位置し且つ前記端末に対応する制御チャネルユニットアグリゲーションレベルを使用する。
【０００７】
一つの可能な実施形態では、前記切り替え方法はさらに、
前記端末が前記狭帯域幅受信モードで狭帯域信号を検出する持続時間長及び狭帯域信号を検出する間隔周期を予め設定し、前記狭帯域信号を検出する持続時間長及び狭帯域信号を検出する間隔周期を前記端末に送信すること、
又は、前記端末へ狭帯域信号の検出を停止する時刻及び信号の検出を再度開始する時刻の情報を送信することを含む。
【０００８】
一つの可能な実施形態では、前記端末が前記切り替えメッセージに示される狭帯域幅に切り替えて情報を受信した後、前記切り替え方法はさらに、
前記端末へ周波数帯域インデックスと切り替え遅延を送信し、他の狭帯域幅又は他のシステム帯域幅に切り替えるように前記端末に指示することを含み、
ここで、前記周波数帯域インデックスが、異なる周波数領域位置に位置する前記端末が切り替える帯域幅を示すことに用いられ、前記切り替え遅延が、現在の時刻から前記端末が前記周波数帯域インデックスに示される帯域幅で信号を受信し始める時刻までの時間オフセットを示すことに用いられる。
【０００９】
一つの可能な実施形態では、前記端末が前記狭帯域幅受信モードにある時に、前記切り替え方法はさらに、
前記狭帯域幅の物理ダウンリンク制御チャネルで、前記端末のために、ダウンリンクデータを含む物理ダウンリンク共有チャネルをスケジューリングし、ここで、前記ダウンリンクデータが予め設定されたキャパシティより小さいことを含む。
【００１０】
一つの可能な実施形態では、前記物理ダウンリンク共有チャネルの周波数領域リソースが前記狭帯域幅内に位置し、前記狭帯域幅の物理ダウンリンク制御チャネルで送信されたダウンリンク制御情報に、前記物理ダウンリンク共有チャネルに割り当てられた周波数領域リソースに対応するリソースインデックス及び前記ダウンリンクデータの変調符号化方式が含まれる。
【００１１】
一つの可能な実施形態では、前記端末が前記狭帯域幅受信モードにある時に、前記切り替え方法はさらに、
前記狭帯域幅の物理ダウンリンク制御チャネルで、前記端末へアップリンク伝送に対する確認フィードバック信号とハイブリッド自動再送プロセス識別子を送信することを含む。
【００１２】
本発明の実施例の第二の態様による切り替え方法は、
端末が基地局によって設定された狭帯域幅受信モードの切り替えメッセージを受信し、前記切り替えメッセージに、端末に指示する、前記狭帯域幅受信モードに入る時間及び前記狭帯域幅受信モードに入る時の周波数帯域における狭帯域幅の位置が含まれることと、
前記切り替えメッセージに示される狭帯域幅に切り替えて情報を受信し、ここで、前記狭帯域幅の幅がシステム帯域幅の幅より小さいこととを含む。
【００１３】
一つの可能な実施形態では、前記切り替え方法はさらに、
前記狭帯域幅に位置する物理ダウンリンク制御チャネルにおける前記端末に対するダウンリンク制御情報を受信することを含み、
前記ダウンリンク制御情報が、前記端末に対応する端末特定サーチスペースに位置し且つ前記端末に対応する制御チャネルユニットアグリゲーションレベルを使用する。
【００１４】
一つの可能な実施形態では、前記切り替え方法はさらに、
前記基地局によって予め設定された、前記端末が前記狭帯域幅受信モードで狭帯域信号を検出する持続時間長及び狭帯域信号を検出する間隔周期を受信し、前記間隔周期内で受信機をオフにすること、
又は、前記基地局から送信された、狭帯域信号の検出を停止する時刻及び信号の検出を再度開始する時刻の情報を受信し、狭帯域信号の検出を停止する時刻に受信機をオフにし、信号の検出を再度開始する時刻に受信機をオンにすることを含む。
【００１５】
一つの可能な実施形態では、前記端末が前記切り替えメッセージに示される狭帯域幅に切り替えて情報を受信した後、前記切り替え方法はさらに、
前記基地局から送信された周波数帯域インデックスと切り替え遅延を受信し、前記周波数帯域インデックスと切り替え遅延に基づいて他の狭帯域幅又は他のシステム帯域幅に切り替えることを含み、
ここで、前記周波数帯域インデックスが、異なる周波数領域位置に位置する前記端末が切り替える帯域幅を示すことに用いられ、前記切り替え遅延が、現在の時刻から前記端末が前記周波数帯域インデックスに示される帯域幅で信号を受信し始める時刻までの時間オフセットを示すことに用いられる。
【００１６】
一つの可能な実施形態では、前記端末が前記狭帯域幅受信モードにある時に、前記切り替え方法はさらに、
前記狭帯域幅の物理ダウンリンク制御チャネルで、前記基地局によって前記端末のためにスケジューリングされた、ダウンリンクデータを含む物理ダウンリンク共有チャネルを受信し、ここで、前記ダウンリンクデータが予め設定されたキャパシティより小さいことを含む。
【００１７】
一つの可能な実施形態では、前記物理ダウンリンク共有チャネルの周波数領域リソースが前記狭帯域幅内に位置し、前記狭帯域幅の物理ダウンリンク制御チャネルで受信されたダウンリンク制御情報に、前記物理ダウンリンク共有チャネルに割り当てられた周波数領域リソースに対応するリソースインデックス及び前記ダウンリンクデータの変調符号化方式が含まれる。
【００１８】
一つの可能な実施形態では、前記端末が前記狭帯域幅受信モードにある時に、前記切り替え方法はさらに、
前記狭帯域幅の物理ダウンリンク制御チャネルで、前記基地局から送信された、アップリンク伝送に対する確認フィードバック信号とハイブリッド自動再送プロセス識別子を受信することを含む。
【００１９】
本発明の実施例の第三の態様による基地局は、
狭帯域幅受信モードの切り替えメッセージを設定するように構成され、前記切り替えメッセージに、端末に指示する、前記狭帯域幅受信モードに入る時間及び前記狭帯域幅受信モードに入る時の周波数帯域における狭帯域幅の位置が含まれる設定ユニットと、
前記端末へ前記切り替えメッセージを送信し、前記切り替えメッセージに示される狭帯域幅に切り替えて情報を受信するように前記端末に指示するように構成され、ここで、前記狭帯域幅の幅がシステム帯域幅の幅より小さい送信ユニットとを備える。
【００２０】
一つの可能な実施形態では、前記送信ユニットはさらに前記狭帯域幅に位置する物理ダウンリンク制御チャネルで前記端末に対するダウンリンク制御情報を送信するように構成され、
前記ダウンリンク制御情報が、前記端末に対応する端末特定サーチスペースに位置し且つ前記端末に対応する制御チャネルユニットアグリゲーションレベルを使用する。
【００２１】
一つの可能な実施形態では、前記設定ユニットはさらに前記端末が前記狭帯域幅受信モードで狭帯域信号を検出する持続時間長及び狭帯域信号を検出する間隔周期を予め設定するように構成され、前記送信ユニットはさらに前記狭帯域信号を検出する持続時間長及び狭帯域信号を検出する間隔周期を前記端末に送信するように構成され、
又は、前記送信ユニットはさらに前記端末へ狭帯域信号の検出を停止する時刻及び信号の検出を再度開始する時刻の情報を送信するように構成される。
【００２２】
一つの可能な実施形態では、前記送信ユニットはさらに前記端末が前記切り替えメッセージに示される狭帯域幅に切り替えて情報を受信した後、前記端末へ周波数帯域インデックスと切り替え遅延を送信し、他の狭帯域幅又は他のシステム帯域幅に切り替えるように前記端末に指示するように構成され、
ここで、前記周波数帯域インデックスが、異なる周波数領域位置に位置する前記端末が切り替える帯域幅を示すことに用いられ、前記切り替え遅延が、現在の時刻から前記端末が前記周波数帯域インデックスに示される帯域幅で信号を受信し始める時刻までの時間オフセットを示すことに用いられる。
【００２３】
一つの可能な実施形態では、前記送信ユニットはさらに前記端末が前記狭帯域幅受信モードにある時に、前記狭帯域幅の物理ダウンリンク制御チャネルで、前記端末のために、ダウンリンクデータを含む物理ダウンリンク共有チャネルをスケジューリングするように構成され、ここで、前記ダウンリンクデータが予め設定されたキャパシティより小さい。
【００２４】
一つの可能な実施形態では、前記物理ダウンリンク共有チャネルの周波数領域リソースが前記狭帯域幅内に位置し、前記狭帯域幅の物理ダウンリンク制御チャネルで送信されたダウンリンク制御情報に、前記物理ダウンリンク共有チャネルに割り当てられた周波数領域リソースに対応するリソースインデックス及び前記ダウンリンクデータの変調符号化方式が含まれる。
【００２５】
一つの可能な実施形態では、前記送信ユニットはさらに前記端末が前記狭帯域幅受信モードにある時に、前記狭帯域幅の物理ダウンリンク制御チャネルで、前記端末へアップリンク伝送に対する確認フィードバック信号とハイブリッド自動再送プロセス識別子を送信するように構成される。
【００２６】
本発明の実施例の第四の態様による基地局は、
プロセッサ、メモリ、送受信機とバスを備え、前記プロセッサ、メモリと送受信機がバスを介して接続され、ここで、前記送受信機が信号を送受信し、端末と通信するように構成され、前記メモリが一組のプログラムコードを記憶するように構成され、前記プロセッサが前記メモリに記憶されたプログラムコードを呼び出し、下記の操作を実行するように構成される。
【００２７】
狭帯域幅受信モードの切り替えメッセージを設定し、前記切り替えメッセージに、端末に指示する、前記狭帯域幅受信モードに入る時間及び前記狭帯域幅受信モードに入る時の周波数帯域における狭帯域幅の位置が含まれ、
前記送受信機を介して前記端末へ前記切り替えメッセージを送信し、前記切り替えメッセージに示される狭帯域幅に切り替えて情報を受信するように前記端末に指示し、ここで、前記狭帯域幅の幅がシステム帯域幅の幅より小さい。
【００２８】
一つの可能な実施形態では、前記プロセッサはさらに前記送受信機を介して前記狭帯域幅に位置する物理ダウンリンク制御チャネルで前記端末に対するダウンリンク制御情報を送信するように構成され、
前記ダウンリンク制御情報が、前記端末に対応する端末特定サーチスペースに位置し且つ前記端末に対応する制御チャネルユニットアグリゲーションレベルを使用する。
【００２９】
一つの可能な実施形態では、前記プロセッサはさらに前記端末が前記狭帯域幅受信モードで狭帯域信号を検出する持続時間長及び狭帯域信号を検出する間隔周期を予め設定し、前記狭帯域信号を検出する持続時間長及び狭帯域信号を検出する間隔周期を前記送受信機を介して前記端末に送信するように構成され、
又は、狭帯域信号の検出を停止する時刻及び信号の検出を再度開始する時刻の情報を前記送受信機を介して前記端末に送信するように構成される。
【００３０】
一つの可能な実施形態では、前記プロセッサはさらに前記端末が前記切り替えメッセージに示される狭帯域幅に切り替えて情報を受信した後、前記端末へ周波数帯域インデックスと切り替え遅延を送信し、他の狭帯域幅又は他のシステム帯域幅に切り替えるように前記端末に指示するように構成され、
ここで、前記周波数帯域インデックスが、異なる周波数領域位置に位置する前記端末が切り替える帯域幅を示すことに用いられ、前記切り替え遅延が、現在の時刻から前記端末が前記周波数帯域インデックスに示される帯域幅で信号を受信し始める時刻までの時間オフセットを示すことに用いられる。
【００３１】
一つの可能な実施形態では、前記プロセッサはさらに前記端末が前記狭帯域幅受信モードにある時に、前記狭帯域幅の物理ダウンリンク制御チャネルで、前記端末のために、ダウンリンクデータを含む物理ダウンリンク共有チャネルをスケジューリングするように構成され、ここで、前記ダウンリンクデータが予め設定されたキャパシティより小さい。
【００３２】
一つの可能な実施形態では、前記物理ダウンリンク共有チャネルの周波数領域リソースが前記狭帯域幅内に位置し、前記狭帯域幅の物理ダウンリンク制御チャネルで送信されたダウンリンク制御情報に、前記物理ダウンリンク共有チャネルに割り当てられた周波数領域リソースに対応するリソースインデックス及び前記ダウンリンクデータの変調符号化方式が含まれる。
【００３３】
一つの可能な実施形態では、前記プロセッサはさらに前記端末が前記狭帯域幅受信モードにある時に、前記狭帯域幅の物理ダウンリンク制御チャネルで、送受信機を介して前記端末へアップリンク伝送に対する確認フィードバック信号とハイブリッド自動再送プロセス識別子を送信するように構成される。
【００３４】
本発明の実施例の第五の態様による端末は、
基地局によって設定された狭帯域幅受信モードの切り替えメッセージを受信するように構成され、前記切り替えメッセージに、端末に指示する、前記狭帯域幅受信モードに入る時間及び前記狭帯域幅受信モードに入る時の周波数帯域における狭帯域幅の位置が含まれる受信ユニットと、
前記切り替えメッセージに示される狭帯域幅に切り替えて情報を受信するように構成され、ここで、前記狭帯域幅の幅がシステム帯域幅の幅より小さい切り替えユニットとを備える。
【００３５】
一つの可能な実施形態では、前記受信ユニットはさらに前記狭帯域幅に位置する物理ダウンリンク制御チャネルにおける前記端末に対するダウンリンク制御情報を受信するように構成され、
前記ダウンリンク制御情報が、前記端末に対応する端末特定サーチスペースに位置し且つ前記端末に対応する制御チャネルユニットアグリゲーションレベルを使用する。
【００３６】
一つの可能な実施形態では、前記受信ユニットはさらに前記基地局によって予め設定された、前記端末が前記狭帯域幅受信モードで狭帯域信号を検出する持続時間長及び狭帯域信号を検出する間隔周期を受信し、前記間隔周期内で受信機をオフにするように構成され、
又は、前記基地局から送信された、狭帯域信号の検出を停止する時刻及び信号の検出を再度開始する時刻の情報を受信し、狭帯域信号の検出を停止する時刻に受信機をオフにし、信号の検出を再度開始する時刻に受信機をオンにするように構成される。
【００３７】
一つの可能な実施形態では、前記受信ユニットはさらに前記端末が前記切り替えメッセージに示される狭帯域幅に切り替えて情報を受信した後、前記基地局から送信された周波数帯域インデックスと切り替え遅延を受信するように構成され、前記切り替えユニットはさらに前記周波数帯域インデックスと切り替え遅延に基づいて他の狭帯域幅又は他のシステム帯域幅に切り替えるように構成され、
ここで、前記周波数帯域インデックスが、異なる周波数領域位置に位置する前記端末が切り替える帯域幅を示すことに用いられ、前記切り替え遅延が、現在の時刻から前記端末が前記周波数帯域インデックスに示される帯域幅で信号を受信し始める時刻までの時間オフセットを示すことに用いられる。
【００３８】
一つの可能な実施形態では、前記端末が前記狭帯域幅受信モードにある時に、前記受信ユニットはさらに前記狭帯域幅の物理ダウンリンク制御チャネルで、前記基地局によって前記端末のためにスケジューリングされた、ダウンリンクデータを含む物理ダウンリンク共有チャネルを受信するように構成され、ここで、前記ダウンリンクデータが予め設定されたキャパシティより小さい。
【００３９】
一つの可能な実施形態では、前記物理ダウンリンク共有チャネルの周波数領域リソースが前記狭帯域幅内に位置し、前記狭帯域幅の物理ダウンリンク制御チャネルで受信されたダウンリンク制御情報に、前記物理ダウンリンク共有チャネルに割り当てられた周波数領域リソースに対応するリソースインデックス及び前記ダウンリンクデータの変調符号化方式が含まれる。
【００４０】
一つの可能な実施形態では、前記端末が前記狭帯域幅受信モードにある時に、前記受信ユニットはさらに前記狭帯域幅の物理ダウンリンク制御チャネルで、前記基地局から送信された、アップリンク伝送に対する確認フィードバック信号とハイブリッド自動再送プロセス識別子を受信するように構成される。
【００４１】
本発明の実施例の第六の態様による端末は、
プロセッサ、メモリ、送信機、受信機とバスを備え、前記プロセッサ、メモリ、送信機と受信機がバスを介して接続され、ここで、前記送信機が信号を送信するように構成され、前記受信機が信号を受信するように構成され、前記送信機と前記受信機がそれぞれ独立して設置され又は統合して設置され、前記メモリが一組のプログラムコードを記憶するように構成され、前記プロセッサが前記メモリに記憶されたプログラムコードを呼び出し、下記の操作を実行するように構成される。
【００４２】
基地局によって設定された狭帯域幅受信モードの切り替えメッセージを前記受信機を介して受信し、前記切り替えメッセージに、端末に指示する、前記狭帯域幅受信モードに入る時間及び前記狭帯域幅受信モードに入る時の周波数帯域における狭帯域幅の位置が含まれ、
前記切り替えメッセージに示される狭帯域幅に切り替えて情報を受信し、ここで、前記狭帯域幅の幅がシステム帯域幅の幅より小さい。
【００４３】
一つの可能な実施形態では、前記プロセッサはさらに前記受信機を介して前記狭帯域幅に位置する物理ダウンリンク制御チャネルにおける前記端末に対するダウンリンク制御情報を受信するように構成され、
前記ダウンリンク制御情報が、前記端末に対応する端末特定サーチスペースに位置し且つ前記端末に対応する制御チャネルユニットアグリゲーションレベルを使用する。
【００４４】
一つの可能な実施形態では、前記プロセッサはさらに前記基地局によって予め設定された、前記端末が前記狭帯域幅受信モードで狭帯域信号を検出する持続時間長及び狭帯域信号を検出する間隔周期を前記受信機を介して受信し、前記間隔周期内で前記受信機をオフにするように構成され、
又は、前記基地局から送信された、狭帯域信号の検出を停止する時刻及び信号の検出を再度開始する時刻の情報を前記受信機を介して受信し、狭帯域信号の検出を停止する時刻に受信機をオフにし、信号の検出を再度開始する時刻に受信機をオンにするように構成される。
【００４５】
一つの可能な実施形態では、前記プロセッサはさらに前記端末が前記切り替えメッセージに示される狭帯域幅に切り替えて受信した後、前記基地局から送信された周波数帯域インデックスと切り替え遅延を前記受信機を介して受信し、前記周波数帯域インデックスと切り替え遅延に基づいて他の狭帯域幅又は他のシステム帯域幅に切り替えるように構成され、
ここで、前記周波数帯域インデックスが、異なる周波数領域位置に位置する前記端末が切り替える帯域幅を示すことに用いられ、前記切り替え遅延が、現在の時刻から前記端末が前記周波数帯域インデックスに示される帯域幅で信号を受信し始める時刻までの時間オフセットを示すことに用いられる。
【００４６】
一つの可能な実施形態では、前記プロセッサはさらに前記端末が前記狭帯域幅受信モードにある時に、前記狭帯域幅の物理ダウンリンク制御チャネルで、前記基地局によって前記端末のためにスケジューリングされた、ダウンリンクデータを含む物理ダウンリンク共有チャネルを前記受信機を介して受信するように構成され、ここで、前記ダウンリンクデータが予め設定されたキャパシティより小さい。
【００４７】
一つの可能な実施形態では、前記物理ダウンリンク共有チャネルの周波数領域リソースが前記狭帯域幅内に位置し、前記狭帯域幅の物理ダウンリンク制御チャネルで受信されたダウンリンク制御情報に、前記物理ダウンリンク共有チャネルに割り当てられた周波数領域リソースに対応するリソースインデックス及び前記ダウンリンクデータの変調符号化方式が含まれる。
【００４８】
一つの可能な実施形態では、前記プロセッサはさらに前記端末が前記狭帯域幅受信モードにある時に、前記狭帯域幅の物理ダウンリンク制御チャネルで、前記基地局から送信されたアップリンク伝送に対する確認フィードバック信号とハイブリッド自動再送プロセス識別子を送受信機を介して受信するように構成される。
【００４９】
本発明の実施例の第七の態様によるコンピュータ記憶媒体は、本発明の実施例の第一の態様のいずれかの実施形態に記載される方法を実行するための一組のプログラムコードを含む。
【００５０】
本発明の実施例の第八の態様によるコンピュータ記憶媒体は本発明の実施例の第二の態様のいずれかの実施形態に記載される方法を実行するための一組のプログラムコードを含む。
【００５１】
本発明の実施例の第九の態様による切り替え方法は、
基地局が狭帯域幅受信モードの切り替えメッセージを設定し、前記切り替えメッセージに、端末に指示する、前記狭帯域幅受信モードに入る時間及び前記狭帯域幅受信モードに入る時の周波数帯域における狭帯域幅の位置が含まれることと、
前記端末へ前記切り替えメッセージを送信し、前記切り替えメッセージに示される狭帯域幅に切り替えて情報を受信するように前記端末に指示し、ここで、前記狭帯域幅の幅がシステム帯域幅の幅より小さく、前記狭帯域幅が第一の狭帯域幅又は第二の狭帯域幅を含み、前記第一の狭帯域幅の物理ダウンリンク制御チャネルに端末特定サーチスペースが含まれ、前記第二の狭帯域幅の物理ダウンリンク制御チャネルに共通サーチスペースが含まれる。
【００５２】
本発明の実施例の第十の態様による切り替え方法は、
端末が基地局によって設定された狭帯域幅受信モードの切り替えメッセージを受信し、前記切り替えメッセージに、端末に指示する、前記狭帯域幅受信モードに入る時間及び前記狭帯域幅受信モードに入る時の周波数帯域における狭帯域幅の位置が含まれることと、
前記切り替えメッセージに示される狭帯域幅に切り替えて情報を受信し、ここで、前記狭帯域幅の幅がシステム帯域幅の幅より小さく、前記狭帯域幅が第一の狭帯域幅又は第二の狭帯域幅を含み、前記第一の狭帯域幅の物理ダウンリンク制御チャネルに端末特定サーチスペースが含まれ、前記第二の狭帯域幅の物理ダウンリンク制御チャネルに共通サーチスペースが含まれることとを含む。
【００５３】
本発明の実施例の第十一の態様による基地局は、
狭帯域幅受信モードの切り替えメッセージを設定するように構成され、前記切り替えメッセージに、端末に指示する、前記狭帯域幅受信モードに入る時間及び前記狭帯域幅受信モードに入る時の周波数帯域における狭帯域幅の位置が含まれる設定ユニットと、
前記端末へ前記切り替えメッセージを送信し、前記切り替えメッセージに示される狭帯域幅に切り替えて情報を受信するように前記端末に指示するように構成され、ここで、前記狭帯域幅の幅がシステム帯域幅の幅より小さく、前記狭帯域幅が第一の狭帯域幅又は第二の狭帯域幅を含み、前記第一の狭帯域幅の物理ダウンリンク制御チャネルに端末特定サーチスペースが含まれ、前記第二の狭帯域幅の物理ダウンリンク制御チャネルに共通サーチスペースが含まれる送信ユニットとを備える。
【００５４】
本発明の実施例の第十二の態様による基地局は、
プロセッサ、メモリ、送受信機とバスを備え、前記プロセッサ、メモリと送受信機がバスを介して接続され、ここで、前記送受信機が信号を送受信し、端末と通信するように構成され、前記メモリが一組のプログラムコードを記憶するように構成され、前記プロセッサが前記メモリに記憶されたプログラムコードを呼び出し、本発明の第九の態様のいずれか一つの実施形態におけるステップを実行するように構成される。
【００５５】
本発明の実施例の第十三の態様による端末は、
基地局によって設定された狭帯域幅受信モードの切り替えメッセージを受信するように構成され、前記切り替えメッセージに、端末に指示する、前記狭帯域幅受信モードに入る時間及び前記狭帯域幅受信モードに入る時の周波数帯域における狭帯域幅の位置が含まれる受信ユニットと、
前記切り替えメッセージに示される狭帯域幅に切り替えて情報を受信し、ここで、前記狭帯域幅の幅がシステム帯域幅の幅より小さく、前記狭帯域幅が第一の狭帯域幅又は第二の狭帯域幅を含み、前記第一の狭帯域幅の物理ダウンリンク制御チャネルに端末特定サーチスペースが含まれ、前記第二の狭帯域幅の物理ダウンリンク制御チャネルに共通サーチスペースが含まれる切り替えユニットとを備える。
【００５６】
本発明の実施例の第十四の態様による端末は、
プロセッサ、メモリ、送信機、受信機とバスを備え、前記プロセッサ、メモリ、送信機と受信機がバスを介して接続され、ここで、前記送信機が信号を送信するように構成され、前記受信機が信号を受信するように構成され、前記送信機と前記受信機がそれぞれ独立して設置され又は統合して設置され、前記メモリが一組のプログラムコードを記憶するように構成され、前記プロセッサが前記メモリに記憶されたプログラムコードを呼び出し、本発明の十態様のいずれか一つの実施形態におけるステップを実行するように構成される。
【００５７】
本発明の実施例の第十五の態様によるコンピュータ記憶媒体は本発明の実施例の第九の態様のいずれかの実施形態に記載される方法を実行するための一組のプログラムコードを含む。
【００５８】
本発明の実施例の第十六の態様によるコンピュータ記憶媒体は本発明の実施例の第十の態様のいずれかの実施形態に記載される方法を実行するための一組のプログラムコードを含む。
【発明の効果】
【００５９】
本発明の実施例は、
基地局が切り替えメッセージを設定することにより、端末の切り替え先の狭帯域幅受信モードを示し、狭帯域幅受信モードで、端末がシステム帯域幅より小さい狭帯域幅で信号を受信することができるため、端末が大きなシステム帯域幅を検出する必要がなく、端末の電力消費と信号検出の遅延を低減することができ、狭帯域幅のＰＤＣＣＨに、ＵＥ特定サーチスペースと固定された制御チャネルユニットアグリゲーションレベルのみを含ませるため、端末によって検出される情報量を減少することができ、それによって端末の電力消費をさらに低減させることができ、且つ基地局がさらに端末が狭帯域幅受信モードにある時に狭帯域幅信号を検出する時間及び狭帯域幅信号を検出しない時間を示すことができ、そして狭帯域幅信号を検出しない時に端末受信機をオフにするように端末に指示し、それによって端末の電力消費をさらに節約することができ、基地局がさらに狭帯域幅とシステム帯域幅の間及び異なる狭帯域幅間で切り替えるように端末に指示することができ、それによって狭帯域幅の使用柔軟性が向上し、且つ基地局がさらに狭帯域幅のＰＤＣＣＨで、予め設定されたキャパシティより小さいダウンリンクデータ又はアップリンク伝送に対する再送フィードバック情報とＨＡＲＱプロセス識別子をスケジューリングすることができ、それによって狭帯域幅の機能が拡張される。
【図面の簡単な説明】
【００６０】
【図１】本発明の実施例における通信システムのアーキテクチャ概略図である。
【図２】本発明による切り替え方法の第一の実施例のフローチャートである。
【図３】本発明による切り替え方法の第二の実施例のフローチャートである。
【図４】本発明による切り替え方法の第三の実施例のフローチャートである。
【図５】図４に示す切り替え方法を用いて狭帯域幅で信号を受信することを示す図である。
【図６】本発明による切り替え方法の第四の実施例のフローチャートである。
【図７】図６に示す切り替え方法における周波数帯域インデックスを示す図である。
【図８】図６に示す切り替え方法における狭帯域幅のスケジューリングを示す図である。
【図９】本発明による切り替え方法の第五の実施例のフローチャートである。
【図１０】本発明による切り替え方法の第六の実施例のフローチャートである。
【図１１】本発明による切り替え方法の第七の実施例のフローチャートである。
【図１２】本発明による切り替え方法の第八の実施例のフローチャートである。
【図１３】本発明による基地局の第一の実施例の構成図である。
【図１４】本発明による基地局の第二の実施例の構成図である。
【図１５】本発明による端末の第一の実施例の構成図である。
【図１６】本発明による端末の第二の実施例の構成図である。
【図１７】本発明による切り替え方法の第九の実施例のフローチャートである。
【図１８】本発明による切り替え方法の第十の実施例のフローチャートである。
【図１９】本発明による図１８に示す切り替え方法を用いて異なる狭帯域幅で切り替えることを示す図である。
【図２０】本発明による切り替え方法の第十一の実施例のフローチャートである。
【図２１】本発明による切り替え方法の第十二の実施例のフローチャートである。
【図２２】本発明による切り替え方法の第十三の実施例のフローチャートである。
【図２３】本発明による切り替え方法の第十四の実施例のフローチャートである。
【図２４】本発明による切り替え方法の第十五の実施例のフローチャートである。
【図２５】本発明による切り替え方法の第十六の実施例のフローチャートである。
【図２６】本発明による基地局の第三の実施例の構成図である。
【図２７】本発明による基地局の第四の実施例の構成図である。
【図２８】本発明による端末の第三の実施例の構成図である。
【図２９】本発明による端末の第四の実施例の構成図である。
【発明を実施するための形態】
【００６１】
本発明の実施例又は従来技術における技術的解決手段をより明確に説明するため、以下に実施例に必要な図面を簡単に説明するが、明らかに、以下に記載する図面は本発明のいくつかの実施例だけであり、当業者であれば、創造的な労力を要することなく、これらの図面に基づいて他の図面を得ることができる。
【００６２】
本発明の明細書及び特許請求の範囲における用語「包括」と「有する」及びそれらのいかなる変形は、非排他的な包含をカバーすることを意図する。例えば一連のステップ又はユニットを含むプロセス、方法、システム、製品又は装置は示されたステップ又はユニットに限定されなく、選択可能に示されないステップ又はユニットを含み、又は選択可能にこれらのプロセス、方法、製品又は装置固有の他のステップ又はユニットを含む。
【００６３】
人々の通信ニーズが高まり続けるにつれて、通信技術は急速に発展しており、より大きい帯域幅、より速いアップリンク及びダウンリンク伝送速度などをユーザに提供することができる。例えば、５Ｇシステムでは、最大２００ＭＨｚのシステム帯域幅を提供することができる。しかしながら、システム帯域幅が拡張されるにつれて、端末が大きいシステム帯域幅でＰＤＣＣＨを受信する場合、端末の電力消費が大きいため、本発明の実施例は、端末がシステム帯域幅より小さい狭帯域幅に切り替えて動作することができ、それによって端末の電力消費を低減する切り替え方法を提供する。説明を容易にするために、本発明の実施例において５Ｇシステムで説明し、当業者は、本発明の実施例における実施形態が同様に従来の通信システム及び６Ｇ及び７Ｇのような将来のより高いレベルの通信システムに適用することができることを理解するべきであり、本発明の実施例は何ら限定されない。
【００６４】
以下に図面と組み合わせて本発明の実施例の切り替え方法及び装置を詳しく説明する。
【００６５】
図１は本発明の実施例における通信システムのアーキテクチャ概略図である。ここで基地局と少なくとも一つの端末を備えることができ、端末がユーザ装置（ＵＥ：Ｕｓｅｒ  Ｅｑｕｉｐｍｅｎｔ）と呼ばれてもよい。
【００６６】
ここで、基地局は進化型ノードＢ（ｅＮＢ：ｅｖｏｌｖｅｄ  Ｎｏｄｅ  Ｂ）、ノードＢ（ＮＢ：Ｎｏｄｅ  Ｂ）、基地局コントローラ（ＢＳＣ：Ｂａｓｅ  Ｓｔａｔｉｏｎ  Ｃｏｎｔｒｏｌｌｅｒ）、基地局送受信ステーション（ＢＴＳ：Ｂａｓｅ  Ｔｒａｎｓｃｅｉｖｅｒ  Ｓｔａｔｉｏｎ）、ホーム基地局（例えばＨＮＢ：Ｈｏｍｅ  ｅｖｏｌｖｅｄ  ＮｏｄｅＢ又はＨｏｍｅ  Ｎｏｄｅ  Ｂ）、ベースバンドユニット（ＢＢＵ：ＢａｓｅＢａｎｄ  Ｕｎｉｔ）などであってもよい。それは基地送受信機、無線基地局、無線送受信機、送受信機機能、基地局サブシステム（ＢＳＳ：Ｂａｓｅ  Ｓｔａｔｉｏｎ  Ｓｕｂ  ｓｙｓｔｅｍ）又はいくつかの他の適切な用語として当業者によって呼ばれてもよい。それは、伝送フォーマット、リソース割り当て、アップリンクスケジューリング許可、電力制御及びアップリンク再送信情報などを具体的に含むことができるダウンリンク制御情報をＰＤＣＣＨで搬送してスケジューリングすることができる。そしてＵＥへサービスのダウンリンクデータを伝送し、端末の再送信フィードバックなどを受信することができる。
【００６７】
ここで、端末はセルラ電話、スマートフォン、セッション開始プロトコル（ＳＩＰ：Ｓｅｓｓｉｏｎ  Ｉｎｉｔｉａｔｉｏｎ  Ｐｒｏｔｏｃｏｌ）電話、ラップトップコンピュータ、パーソナルデジタルアシスタント（ＰＤＡ：Ｐｅｒｓｏｎａｌ  Ｄｉｇｉｔａｌ  Ａｓｓｉｓｔａｎｔ）、衛星ラジオ、全地球測位システム、マルチ媒体デバイス、ビデオデバイス、デジタルオーディオプレーヤ（例えば、ＭＰ３プレーヤ）、カメラ、ゲーム機又は類似の機能を有する他の任意のデバイスを含むことができる。端末は移動局、加入者局、移動ユニット、加入者ユニット、無線ユニット、遠隔ユニット、移動装置、無線装置、無線通信装置、遠隔装置、移動加入者局、アクセス端末、移動装置、無線端末、遠隔端末、ハンドヘルドデバイス、ユーザエージェント、移動クライアント、クライアント又はいくつかの他の適切な用語として当業者によって呼ばれてもよい。それは、基地局によって設定された制御情報及び基地局によってスケジューリングされた時間周波数リソースを受信してアップリンクサービスデータ及び再送信フィードバック情報の伝送を行うことができる。
【００６８】
端末の電力消費を低減するために、本発明の実施例では端末はシステム帯域幅より小さい狭帯域幅で動作するように構成されてもよく、以下に図２−図８と組み合わせて本発明による切り替え方法を詳細に説明する。
【００６９】
図２は本発明による切り替え方法の第一の実施例のフローチャートである。本実施例では、前記切り替え方法は以下のステップを含む。
【００７０】
Ｓ２０１において、基地局は狭帯域幅受信モードの切り替えメッセージを設定する。
【００７１】
ここで、前記切り替えメッセージに、端末に指示する、前記狭帯域幅受信モードに入る時間及び前記狭帯域幅受信モードに入る時の周波数帯域における狭帯域幅の位置が含まれる。
【００７２】
選択可能に、前記狭帯域幅受信モードに入る時間が前記狭帯域幅受信モードに入る開始時間を含むことができ、端末は該切り替えメッセージを受信した後、指定された開始時間に狭帯域幅受信モードに入り、基地局から送信された、狭帯域幅受信モードを停止するメッセージを受信するまで他の狭帯域幅又はシステム帯域幅に切り替え、又は基地局から送信された、他の狭帯域幅又は他のシステム帯域幅に切り替えるメッセージを受信する時に、現在の狭帯域幅から他の狭帯域幅又は他のシステム帯域幅に切り替えることもできる。
【００７３】
前記狭帯域幅受信モードに入る時間が前記狭帯域幅受信モードに入る時間以外、狭帯域幅受信モードに入る終了時間を含むことができ、端末は指定された開始時間に狭帯域幅受信モードに入り、指定された終了時間にシステム帯域幅に切り替えて情報を受信することができる。
【００７４】
説明すべきものとして、マシンタイプ通信（ＭＴＣ：Ｍａｃｈｉｎｅ  Ｔｙｐｅ  Ｃｏｍｍｕｎｉｃａｔｉｏｎｓ）をサポートする端末の場合、１．４ＭＨｚ、即ち６つのＰＲＢの帯域幅でダウンリンク信号を復調することができる。このタイプの端末に対して、ダウンリンク帯域幅が狭くなるため、端末の電力消費が節約される。しかし、このタイプの端末が狭い帯域幅、例えば６つのＰＲＢでしか動作することができないため、端末の機能は大きく制限される。本発明の実施例における狭帯域幅の幅がシステム帯域幅の幅より小さく、即ち本発明の実施例における狭帯域幅はシステム帯域幅より小さい周波数領域における幅である。従来の４Ｇシステムにおける１．４ＭＨｚの帯域幅の概念と異なる。例えば、従来の４Ｇシステムにおいて典型的なシステム帯域幅が１０ＭＨｚと２０ＭＨｚであり、システム帯域幅が１０ＭＨｚである場合、本発明の実施例における狭帯域幅は２ＭＨｚ、５ＭＨｚなどの１０ＭＨｚ未満の帯域幅であってもよく、システム帯域幅が２０ＭＨｚである場合、本発明の実施例における狭帯域幅は、５ＭＨｚ、１０ＭＨｚ、１２ＭＨｚなどの２０ＭＨｚ未満の帯域幅であってもよい。システム帯域幅が１．４ＭＨｚである場合、本発明の実施例における狭帯域幅は０．６ＭＨｚなどの１．４ＭＨｚ未満の帯域幅であってもよい。より大きい帯域幅の５Ｇシステムに対して、狭帯域幅は同様に５Ｇシステムにおけるシステム帯域幅より小さい帯域幅であってもよい。
【００７５】
Ｓ２０２において、前記端末へ前記切り替えメッセージを送信し、前記切り替えメッセージに示される狭帯域幅に切り替えて情報を受信するように前記端末に指示する。
【００７６】
選択可能に、基地局は、上位層シグナリング例えば無線リソース制御プロトコル（ＲＲＣ：Ｒａｄｉｏ  Ｒｅｓｏｕｒｃｅ  Ｃｏｎｔｒｏｌ）、又は物理層シグナリング例えばＤＣＩにより、狭帯域幅のみを受信するモードに切り替えるように端末に指示する。基地局は狭帯域幅受信モードが開始する具体的な時刻、及び周波数帯域における狭帯域幅の具体的な位置を端末に示すことができる。このようにして端末は該切り替えメッセージに基づき、指定された狭帯域幅に切り替えて情報を受信することができる。狭帯域幅受信モードで、端末はそれ自身のＲＦ帯域幅を、システムが受信するように端末に指示することのみを受ける周波数帯域幅、即ち指定された狭帯域幅に再調整（ｒｅｔｕｎｅ）することができる。例えば、基地局が端末の狭帯域幅が６つのＰＲＢ（１５ｋ  Ｈｚサブ搬送波間隔を例とすると、１．４ＭＨｚである）であることを示す場合、端末はそれ自身のＲＦユニットをシステムによって示される狭帯域幅の周波数帯域位置の６つのＰＲＢに再調整する。この時、端末はこの６つのＰＲＢに位置する信号のみを受信することができる。受信ＲＦ帯域幅が減少するため、端末は節電効果を得ることができる。端末は広いシステム帯域幅で信号を検出することなく、システム帯域幅より小さい狭帯域幅で信号を受信及び検出するだけでよく、端末の動作量が減少し、端末の電力消費が低減し、端末による信号の受信効率が向上する。
【００７７】
説明すべきものとして、端末の電力消費が主に、端末による全システム帯域幅での信号検出、端末によるＰＤＣＣＨのブラインド検出という２つの態様に具体化され、ＰＤＣＣＨのブラインド検出が異なる制御チャネルユニットアグリゲーションレベル、例えば２、４、８及び異なるＤＣＩ長などの検出を含み、端末によって検出されたＤＣＩは、ＵＥ特定サーチスペースで検出する必要がある単一端末に対するＤＣＩに加えて、共通サーチスペースで検出する必要がある複数の端末に対するＤＣＩを含む。検出内容が大きいため、端末の電力消費も大きくなり、この時、図３で説明した切り替え方法を参照して切り替えることもできる。
【００７８】
図３は本発明による切り替え方法の第二の実施例のフローチャートである。本実施例では、ステップＳ３０１−Ｓ３０２が図２におけるステップＳ２０１−Ｓ２０２と同じであり、ここで説明を省略し、この他、前記方法はさらに以下のステップを含むことができる。
【００７９】
Ｓ３０３において、前記狭帯域幅に位置する物理ダウンリンク制御チャネルで前記端末に対するダウンリンク制御情報を送信する。
【００８０】
ここで、前記ダウンリンク制御情報が、前記端末に対応する端末特定サーチスペースに位置し且つ前記端末に対応する制御チャネルユニットアグリゲーションレベルを使用する。
【００８１】
狭帯域幅受信モードで、基地局は端末のＰＤＣＣＨを基地局に示される狭帯域幅に位置するようにスケジューリングすることに用いられる。端末がこのようなＰＤＣＣＨを受信する複雑さを低減させるために、狭帯域幅に位置するＰＤＣＣＨに単一の異なる端末に対するＤＣＩが含まれてもよく、狭帯域幅に位置する全ての端末に対するＤＣＩが含まれなく、又は、狭帯域幅に位置するＰＤＣＣＨにＵＥ特定サーチスペースのみが含まれ、共通サーチスペースが含まれない。同時に、単一の異なる端末に対するＤＣＩについて、その制御チャネルユニットアグリゲーションレベルが固定されてもよく、例えば基地局が端末に狭帯域幅受信モードを設定する時に、端末へそのユニットアグリゲーションレベルを指定することができる。
【００８２】
本発明の実施例では、ＰＤＣＣＨにＵＥ特定サーチスペースと固定された制御チャネルユニットグリゲーションレベルのみが含まれるため、端末が狭帯域幅に位置するＰＤＣＣＨを受信する時に検出する必要がある情報量を減少することができ、それによってさらに端末の電力消費を低減させることができる。
【００８３】
端末によって検出された帯域幅及び検出された情報の量を減少させることに加えて、端末は、狭帯域幅受信モードにおいて端末が指定された時間にスリープ状態に入り、又は受信機をオフにするように構成されてもよい。
【００８４】
具体的には、図４は本発明による切り替え方法の第三の実施例のフローチャートである。本実施例では、ステップＳ４０１−Ｓ４０３が図３におけるステップＳ３０１−Ｓ３０２と同じであり、ここで説明を省略し、前記方法はさらに以下のステップを含む。
【００８５】
Ｓ４０４において、前記端末が前記狭帯域幅受信モードで狭帯域信号を検出する持続時間長及び狭帯域信号を検出する間隔周期を予め設定し、前記狭帯域信号を検出する持続時間長及び狭帯域信号を検出する間隔周期を前記端末に送信し、そして前記間隔周期内で受信機をオフにするように前記端末に指示する。
【００８６】
選択可能に、前記狭帯域信号はＰＤＣＣＨ及び／又は物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を含むことができるがこれらに限定されない。基地局は端末が狭帯域幅受信モードにある時間を予め設定することができ、図５は図４に示す切り替え方法を用いて狭帯域幅で信号を受信することを示す図である。図５に示すにＴ１〜Ｔ２時間、即ち狭帯域信号を検出する持続時間長内に狭帯域幅受信モードにあり、基地局は端末が狭帯域ＰＤＣＣＨ及び／又は存在する可能性があるＰＤＳＣＨを検出しない（この時に端末が受信機をオフにすることができる）時間を予め設定することができ、図５に示すＴ２〜Ｔ３時間が狭帯域信号を検出する間隔周期である。端末が狭帯域幅受信モードに入った後、基地局の設定に従って狭帯域信号（狭帯域ＰＤＣＣＨ及び／又はＰＤＳＣＨ）を定期的（周期的）に検出し、残りの時間に受信機をオフして節電効果を達成することができる。
【００８７】
選択可能に、基地局は、前記端末へ狭帯域信号の検出を停止する時刻及び信号の検出を再度開始する時刻の情報を送信し、狭帯域信号の検出を停止する時刻に受信機をオフにし、信号の検出を再度開始する時刻に受信機をオンにするように前記端末に指示することもできる。端末はタイマーを配置して計時することができる。
【００８８】
図５に示すように、時刻Ｔ２〜Ｔ３において、端末は、時刻Ｔ３から狭帯域信号の検出を再度開始する。基地局は狭帯域ＰＤＣＣＨ、例えばＤＣＩにより、端末が検出を停止する具体的な時刻及び検出を再度開始する具体的な時刻を示す。
【００８９】
又は、基地局は狭帯域信号の検出を停止する時刻情報を前記端末に送信し、狭帯域信号の検出を停止する時刻にスリープ状態に入るように受信機を制御するように前記端末に指示することができ、前記スリープ状態で、前記基地局が前記端末へウェイクアップメッセージを送信する場合、端末は前記基地局から送信されたウェイクアップメッセージを傍受すると、受信機をオンにする。
【００９０】
ＵＥがスリープ状態にあるように受信機を制御する場合、ＲＲＣ接続及びユーザの専用リソースが存在しないため、この時に端末はページングチャネルとブロードキャストチャネルを監視することができ、基地局から送信されたウェイクアップメッセージを監視した場合、端末は受信機をオンにすることができる。
【００９１】
本実施例では、スケジューリング／事前設定により、狭帯域幅受信モードにおける端末は、一部の時間だけで狭帯域信号を検出し、他の時間で端末は受信機をオフにしてさらに節電効果を得ることができる。
【００９２】
説明すべきものとして、以上に基地局は関連する時間情報を端末に送信し、狭帯域信号を検出しない時間内で受信機をオフにする必要があるか否かを端末によって決定することができ、又は基地局は関連する時間情報を端末に送信する時に、狭帯域信号を検出しない時間内で受信機をオフにするように端末に直接基地局によって指示することもでき、本発明の実施例は何ら限定されない。
【００９３】
図６は本発明による切り替え方法の第四の実施例のフローチャートである。本実施例では、ステップＳ６０１−Ｓ６０２が図２におけるステップＳ２０１−Ｓ２０２と同じであり、前記切り替え方法はさらに以下のステップを含む。
【００９４】
Ｓ６０３において、前記端末へ前記周波数帯域インデックスと切り替え遅延を送信し、他の狭帯域幅又は他のシステム帯域幅に切り替えるように前記端末に指示する。
【００９５】
ここで、前記周波数帯域インデックスが、異なる周波数領域位置に位置する前記端末が切り替える帯域幅を示すことに用いられ、前記切り替え遅延が、現在の時刻から前記端末が前記周波数帯域インデックスに示される帯域幅で信号を受信し始める時刻までの時間オフセットを示すことに用いられる。
【００９６】
選択可能に、前記周波数帯域インデックスは設定されて端末に送信されてもよいし、基地局と端末に予め記憶されてもよく、基地局が周波数帯域インデックスを端末に送信する場合、端末はテーブルをチェックすることで、切り替える帯域幅を確定することができる。
【００９７】
図７は本発明による切り替え方法の第四の実施例における周波数帯域インデックスを示す図である。図７に示すように、異なる周波数帯域インデックスは異なる周波数領域位置に位置するそれぞれの可能な帯域幅を指向する。通信システムにおいて複数の狭帯域幅の周波数帯域インデックスが設定されてもよく、異なる周波数位置に位置し、図における狭帯域幅１及び狭帯域幅２がそれぞれ周波数帯域インデックス２、４に対応する。また、複数のシステム帯域幅の周波数帯域インデックスが設定されてもよく、異なる周波数位置に位置する。図におけるシステム帯域幅１及びシステム帯域幅２がそれぞれ周波数帯域インデックス１、周波数帯域インデックス３に対応する。
【００９８】
端末は、基地局から送信された周波数帯域インデックスと切り替え遅延を受信した後、周波数帯域インデックスと切り替え遅延に基づいて切り替えることができる。ここでの切り替えは、狭帯域幅からシステム帯域幅への切り替えであってもよいし、狭帯域幅から狭帯域幅への切り替えであってもよく、図８は本発明による図６に示す切り替え方法における狭帯域幅のスケジューリングを示す図である。基地局は一つの切り替え遅延を用いて端末を狭帯域幅１からシステム帯域幅１にスケジューリングすることができ、別の異なる切り替え遅延を用いて狭帯域幅２から狭帯域幅３にスケジューリングすることもできる。
【００９９】
当然、図２に記載されるシステム帯域幅から狭帯域幅への切り替えについて、本発明による切り替え方法の第四の実施例における周波数インデックスと切り替え遅延を送信する方法を用いることもでき、本発明の実施例は何ら限定されない。
【０１００】
図９は本発明による切り替え方法の第五の実施例のフローチャートである。本実施例では、ステップＳ９０１−Ｓ９０４が図４におけるステップＳ４０１−Ｓ４０４と同じであり、ここで説明を省略し、前記端末が前記狭帯域幅受信モードにある時に、前記切り替え方法はさらに以下を含む。
【０１０１】
Ｓ９０５において、前記狭帯域幅の物理ダウンリンク制御チャネルで、前記端末のために、ダウンリンクデータを含む物理ダウンリンク共有チャネルをスケジューリングする。
【０１０２】
ここで、前記ダウンリンクデータが予め設定されたキャパシティより小さい。
【０１０３】
前記物理ダウンリンク共有チャネルの周波数領域リソースが前記狭帯域幅内に位置し、前記狭帯域幅の物理ダウンリンク制御チャネルで送信されたダウンリンク制御情報に、前記物理ダウンリンク共有チャネルに割り当てられた周波数領域リソースに対応するリソースインデックス及び前記ダウンリンクデータの変調符号化方式が含まれる。
【０１０４】
端末が狭帯域幅受信モードにある時に、チャネルキャパシティに基づき、基地局は、狭帯域幅におけるＰＤＣＣＨで端末に少量のデータを含むＰＤＳＣＨをスケジュールすることができる。狭帯域幅でスケジューリングされたＰＤＳＣＨの周波数領域リソースが狭帯域幅内に位置し、それに割り当てられたリソースと変調符号化方式（ＭＣＳ：Ｍｏｄｕｌａｔｉｏｎ  ａｎｄ  Ｃｏｄｉｎｇ  Ｓｃｈｅｍｅ）が固定されてもよく、又は限られたセットにおいて選択されてもよい。例えば、テーブル１は、狭帯域幅ＰＤＳＣＨのＭＣＳ及びリソース割り当てのテーブルである。
【表１】
2020515108.tif 000003
【０１０５】
ここで、異なる狭帯域幅におけるＭＣＳと割り当てられたリソース、及び両者間のマッピング関係が異なってもよい。例えば狭帯域幅１に対して、一つだけのＭＣＳと３つの可能なリソース割り当てセットがある。それに対して、狭帯域幅２は、２つのＭＣＳ及び４つの可能なリソース割り当てセットがある。テーブル１に示す異なる狭帯域幅、ＭＣＳと割り当てられたリソースの関係は、上位層シグナリング、例えばＲＲＣシグナリングによって予め設定されてもよい。狭帯域幅ＰＤＣＣＨで送信されたＤＣＩはＭＣＳと割り当てられたリソースに対応するリソースインデックスを含むことができる。対応する狭帯域幅１は対応するリソースによって２つ以上の周波数帯域、例えばそれぞれリソースインデックス１とリソースインデックス２に対応して異なる周波数リソースを占有するｓｅｔ１とｓｅｔ２に分けられてもよい。
【０１０６】
Ｓ９０６において、前記狭帯域幅の物理ダウンリンク制御チャネルで、前記端末へアップリンク伝送に対する確認フィードバック信号とハイブリッド自動再送プロセス識別子を送信する。
【０１０７】
選択可能に、少量のダウンリンクデータを伝送することに加えて、狭帯域幅受信モードで、アップリンク伝送に対する確認フィードバック信号（ＡＣＫ／ＮＡＣＫ）とハイブリッド自動再送要求（ＨＡＲＱ：Ｈｙｂｒｉｄ  Ａｕｔｏ  Ｒｅｐｅａｔ  Ｒｅｑｕｅｓｔ）プロセス識別子（異なるアップリンク伝送プロセスを区分することに用いられる）を伝送することができる。
【０１０８】
上記内容を伝送することにより、狭帯域幅受信モードの機能を豊かにし、端末の低電力消費が低いことを確保する前提で、狭帯域幅の役割を拡張することができる。
【０１０９】
説明すべきものとして、図２−図９に示す切り替え方法の実施例は独立して実施されてもよいし、相互に組合わせられて実施されてもよく、本発明の実施例は何ら限定されない。
【０１１０】
図１０は本発明による切り替え方法の第六の実施例のフローチャートである。本実施例では、前記切り替え方法は以下を含む。
【０１１１】
Ｓ１００１において、端末は基地局によって設定された狭帯域幅受信モードの切り替えメッセージを受信する。
【０１１２】
前記切り替えメッセージに端末に指示する、前記狭帯域幅受信モードに入る時間及び前記狭帯域幅受信モードに入る時の周波数帯域における狭帯域幅の位置が含まれる。
【０１１３】
Ｓ１００２において、前記切り替えメッセージに示される狭帯域幅に切り替えて情報を受信する。
【０１１４】
ここで、前記狭帯域幅の幅がシステム帯域幅の幅より小さい。
【０１１５】
図１０は端末側の実施例の説明であり、その具体的なプロセスについて図２に示す基地局側の実施例の説明を参照することができ、ここで説明を省略する。
【０１１６】
図１１は本発明による切り替え方法の第七の実施例のフローチャートである。本実施例では、図１０に示す実施例と比較し、前記切り替え方法はさらに以下を含む。
【０１１７】
Ｓ１１０３において、前記狭帯域幅に位置する物理ダウンリンク制御チャネルにおける前記端末に対するダウンリンク制御情報を受信する。
【０１１８】
ここで、前記ダウンリンク制御情報が、前記端末に対応する端末特定サーチスペースに位置し且つ前記端末に対応する制御チャネルユニットアグリゲーションレベルを使用する。
【０１１９】
図１１は端末側の実施例の説明であり、その具体的なプロセスについて図３に示す基地局側の実施例の説明を参照することができ、ここで説明を省略する。
【０１２０】
図１２は本発明による切り替え方法の第八の実施例のフローチャートである。本実施例では、図１１に示す実施例と比較し、前記切り替え方法はさらに以下を含む。
【０１２１】
Ｓ１２０４において、前記基地局によって予め設定された、前記端末が前記狭帯域幅受信モードで狭帯域信号を検出する持続時間長及び狭帯域信号を検出する間隔周期を受信し、前記間隔周期内で受信機をオフにする。
【０１２２】
選択可能に、本実施例では、さらに以下を含むことができる。
【０１２３】
前記基地局によって予め設定された、前記端末が前記狭帯域幅受信モードで狭帯域信号を検出する持続時間長及び狭帯域信号を検出する間隔周期を受信し、前記間隔周期内で受信機をオフにする。
【０１２４】
又は、前記基地局から送信された、狭帯域信号の検出を停止する時刻及び信号の検出を再度開始する時刻の情報を受信し、狭帯域信号の検出を停止する時刻に受信機をオフにし、信号の検出を再度開始する時刻に受信機をオンにする。
【０１２５】
前記端末が前記切り替えメッセージに示される狭帯域幅に切り替えて情報を受信した後、前記切り替え方法はさらに、
前記基地局から送信された周波数帯域インデックスと切り替え遅延を受信し、前記周波数帯域インデックスと切り替え遅延に基づいて他の狭帯域幅又は他のシステム帯域幅に切り替えることを含み、
ここで、前記周波数帯域インデックスが、異なる周波数領域位置に位置する前記端末が切り替える帯域幅を示すことに用いられ、前記切り替え遅延が、現在の時刻から前記端末が前記周波数帯域インデックスに示される帯域幅で信号を受信し始める時刻までの時間オフセットを示すことに用いられる。
【０１２６】
前記端末が前記狭帯域幅受信モードにある時に、前記切り替え方法はさらに、
前記狭帯域幅の物理ダウンリンク制御チャネルで、前記基地局によって前記端末のためにスケジューリングされた、ダウンリンクデータを含む物理ダウンリンク共有チャネルを受信し、ここで、前記ダウンリンクデータが予め設定されたキャパシティより小さいことを含む。
【０１２７】
前記物理ダウンリンク共有チャネルの周波数領域リソースが前記狭帯域幅内に位置し、前記狭帯域幅の物理ダウンリンク制御チャネルで受信されたダウンリンク制御情報に、前記物理ダウンリンク共有チャネルに割り当てられた周波数領域リソースに対応するリソースインデックス及び前記ダウンリンクデータの変調符号化方式が含まれる。
【０１２８】
選択可能に、前記端末が前記狭帯域幅受信モードにある時に、前記切り替え方法はさらに、
前記狭帯域幅の物理ダウンリンク制御チャネルで、前記基地局から送信された、アップリンク伝送に対する確認フィードバック信号とハイブリッド自動再送プロセス識別子を受信することを含む。
【０１２９】
図１２は端末側の実施例の説明であり、その具体的なプロセスについて図４−図９に示す基地局側の実施例の説明を参照することができ、ここで説明を省略する。
【０１３０】
図１３は本発明による基地局の第一の実施例の構成図である。本実施例では、前記基地局は以下を備える。
【０１３１】
設定ユニット１００は、狭帯域幅受信モードの切り替えメッセージを設定するように構成され、前記切り替えメッセージに、端末に指示する、前記狭帯域幅受信モードに入る時間及び前記狭帯域幅受信モードに入る時の周波数帯域における狭帯域幅の位置が含まれる。
【０１３２】
送信ユニット２００は、前記端末へ前記切り替えメッセージを送信し、前記切り替えメッセージに示される狭帯域幅に切り替えて情報を受信するように前記端末に指示するように構成され、ここで、前記狭帯域幅の幅がシステム帯域幅の幅より小さい。
【０１３３】
選択可能に、前記送信ユニット２００は、さらに前記狭帯域幅に位置する物理ダウンリンク制御チャネルで前記端末に対するダウンリンク制御情報を送信するように構成され、
前記ダウンリンク制御情報が、前記端末に対応する端末特定サーチスペースに位置し且つ前記端末に対応する制御チャネルユニットアグリゲーションレベルを使用する。
【０１３４】
選択可能に、前記設定ユニット１００はさらに前記端末が前記狭帯域幅受信モードで狭帯域信号を検出する持続時間長及び狭帯域信号を検出する間隔周期を予め設定するように構成され、前記送信ユニット２００はさらに前記狭帯域信号を検出する持続時間長及び狭帯域信号を検出する間隔周期を前記端末に送信するように構成され、
又は、前記送信ユニット２００はさらに前記端末へ狭帯域信号の検出を停止する時刻及び信号の検出を再度開始する時刻の情報を送信するように構成される。
【０１３５】
選択可能に、前記送信ユニット２００はさらに前記端末が前記切り替えメッセージに示される狭帯域幅に切り替えて情報を受信した後、前記端末へ周波数帯域インデックスと切り替え遅延を送信し、他の狭帯域幅又は他のシステム帯域幅に切り替えるように前記端末に指示するように構成され、
ここで、前記周波数帯域インデックスが、異なる周波数領域位置に位置する前記端末が切り替える帯域幅を示すことに用いられ、前記切り替え遅延が、現在の時刻から前記端末が前記周波数帯域インデックスに示される帯域幅で信号を受信し始める時刻までの時間オフセットを示すことに用いられる。
【０１３６】
選択可能に、前記送信ユニット２００はさらに前記端末が前記狭帯域幅受信モードにある時に、前記狭帯域幅の物理ダウンリンク制御チャネルで、前記端末のために、ダウンリンクデータを含む物理ダウンリンク共有チャネルをスケジューリングするように構成され、ここで、前記ダウンリンクデータが予め設定されたキャパシティより小さい。
【０１３７】
選択可能に、前記物理ダウンリンク共有チャネルの周波数領域リソースが前記狭帯域幅内に位置し、前記狭帯域幅の物理ダウンリンク制御チャネルで送信されたダウンリンク制御情報に、前記物理ダウンリンク共有チャネルに割り当てられた周波数領域リソースに対応するリソースインデックス及び前記ダウンリンクデータの変調符号化方式が含まれる。
【０１３８】
選択可能に、前記送信ユニット２００はさらに前記端末が前記狭帯域幅受信モードにある時に、前記狭帯域幅の物理ダウンリンク制御チャネルで、前記端末へアップリンク伝送に対する確認フィードバック信号とハイブリッド自動再送プロセス識別子を送信するように構成される。
【０１３９】
図１４は本発明による基地局の第二の実施例の構成図である。本実施例では、前記基地局は、
プロセッサ１１０、メモリ１２０、送受信機１３０とバス１４０を備え、前記プロセッサ１１０、メモリ１２０と送受信機１３０がバス１４０を介して接続され、ここで、前記送受信機１３０が信号を送受信し、端末と通信するように構成され、前記メモリ１２０が一組のプログラムコードを記憶するように構成され、前記プロセッサ１１０が前記メモリ１２０に記憶されたプログラムコードを呼び出し、下記の操作を実行するように構成される。
【０１４０】
狭帯域幅受信モードの切り替えメッセージを設定し、前記切り替えメッセージに、端末に指示する、前記狭帯域幅受信モードに入る時間及び前記狭帯域幅受信モードに入る時の周波数帯域における狭帯域幅の位置が含まれ、
前記送受信機１３０を介して前記端末へ前記切り替えメッセージを送信し、前記切り替えメッセージに示される狭帯域幅に切り替えて情報を受信するように前記端末に指示し、ここで、前記狭帯域幅の幅がシステム帯域幅の幅より小さい。
【０１４１】
選択可能に、前記プロセッサ１１０はさらに前記送受信機１３０を介して前記狭帯域幅に位置する物理ダウンリンク制御チャネルで前記端末に対するダウンリンク制御情報を送信するように構成され、
前記ダウンリンク制御情報が、前記端末に対応する端末特定サーチスペースに位置し且つ前記端末に対応する制御チャネルユニットアグリゲーションレベルを使用する。
【０１４２】
選択可能に、前記プロセッサ１１０はさらに前記端末が前記狭帯域幅受信モードで狭帯域信号を検出する持続時間長及び狭帯域信号を検出する間隔周期を予め設定し、前記狭帯域信号を検出する持続時間長及び狭帯域信号を検出する間隔周期を前記送受信機１３０を介して前記端末に送信するように構成され、
又は、狭帯域信号の検出を停止する時刻及び信号の検出を再度開始する時刻の情報を前記送受信機１３０を介して前記端末に送信するように構成される。
【０１４３】
選択可能に、前記プロセッサ１１０はさらに前記端末が前記切り替えメッセージに示される狭帯域幅に切り替えて情報を受信した後、前記端末へ周波数帯域インデックスと切り替え遅延を送信し、他の狭帯域幅又は他のシステム帯域幅に切り替えるように前記端末に指示するように構成され、
ここで、前記周波数帯域インデックスが、異なる周波数領域位置に位置する前記端末が切り替える帯域幅を示すことに用いられ、前記切り替え遅延が、現在の時刻から前記端末が前記周波数帯域インデックスに示される帯域幅で信号を受信し始める時刻までの時間オフセットを示すことに用いられる。
【０１４４】
選択可能に、前記プロセッサ１１０はさらに前記端末が前記狭帯域幅受信モードにある時に、前記狭帯域幅の物理ダウンリンク制御チャネルで、前記端末のために、ダウンリンクデータを含む物理ダウンリンク共有チャネルをスケジューリングするように構成され、ここで、前記ダウンリンクデータが予め設定されたキャパシティより小さい。
【０１４５】
選択可能に、前記物理ダウンリンク共有チャネルの周波数領域リソースが前記狭帯域幅内に位置し、前記狭帯域幅の物理ダウンリンク制御チャネルで送信されたダウンリンク制御情報に、前記物理ダウンリンク共有チャネルに割り当てられた周波数領域リソースに対応するリソースインデックス及び前記ダウンリンクデータの変調符号化方式が含まれる。
【０１４６】
選択可能に、前記プロセッサ１１０はさらに前記端末が前記狭帯域幅受信モードにある時に、前記狭帯域幅の物理ダウンリンク制御チャネルで、前記送受信機１３０を介して前記端末へアップリンク伝送に対する確認フィードバック信号とハイブリッド自動再送プロセス識別子を送信するように構成される。
【０１４７】
図１５は本発明による端末の第一の実施例の構成図である。本実施例では、前記基地局は以下を備える。
【０１４８】
受信ユニット３００は、基地局によって設定された狭帯域幅受信モードの切り替えメッセージを受信するように構成され、前記切り替えメッセージに、端末に指示する、前記狭帯域幅受信モードに入る時間及び前記狭帯域幅受信モードに入る時の周波数帯域における狭帯域幅の位置が含まれる。
【０１４９】
切り替えユニット４００は、前記切り替えメッセージに示される狭帯域幅に切り替えて情報を受信するように構成され、ここで、前記狭帯域幅の幅がシステム帯域幅の幅より小さい。
【０１５０】
選択可能に、前記受信ユニット３００は、さらに前記狭帯域幅に位置する物理ダウンリンク制御チャネルにおける前記端末に対するダウンリンク制御情報を受信するように構成され、
前記ダウンリンク制御情報が、前記端末に対応する端末特定サーチスペースに位置し且つ前記端末に対応する制御チャネルユニットアグリゲーションレベルを使用する。
【０１５１】
選択可能に、前記受信ユニット３００は、さらに前記基地局によって予め設定された、前記端末が前記狭帯域幅受信モードで狭帯域信号を検出する持続時間長及び狭帯域信号を検出する間隔周期を受信し、前記間隔周期内で受信機をオフにするように構成され、
又は、前記基地局から送信された、狭帯域信号の検出を停止する時刻及び信号の検出を再度開始する時刻の情報を受信し、狭帯域信号の検出を停止する時刻に受信機をオフにし、信号の検出を再度開始する時刻に受信機をオンにするように構成される。
【０１５２】
選択可能に、前記受信ユニット３００はさらに前記端末が前記切り替えメッセージに示される狭帯域幅に切り替えて情報を受信した後、前記基地局から送信された周波数帯域インデックスと切り替え遅延を受信するように構成され、前記切り替えユニット４００はさらに前記周波数帯域インデックスと切り替え遅延に基づいて他の狭帯域幅又は他のシステム帯域幅に切り替えるように構成され、
ここで、前記周波数帯域インデックスが、異なる周波数領域位置に位置する前記端末が切り替える帯域幅を示すことに用いられ、前記切り替え遅延が、現在の時刻から前記端末が前記周波数帯域インデックスに示される帯域幅で信号を受信し始める時刻までの時間オフセットを示すことに用いられる。
【０１５３】
選択可能に、前記端末が前記狭帯域幅受信モードにある時に、前記受信ユニット３００はさらに前記狭帯域幅の物理ダウンリンク制御チャネルで、前記基地局によって前記端末のためにスケジューリングされた、ダウンリンクデータを含む物理ダウンリンク共有チャネルを受信するように構成され、ここで、前記ダウンリンクデータが予め設定されたキャパシティより小さい。
【０１５４】
選択可能に、前記物理ダウンリンク共有チャネルの周波数領域リソースが前記狭帯域幅内に位置し、前記狭帯域幅の物理ダウンリンク制御チャネルで受信されたダウンリンク制御情報に、前記物理ダウンリンク共有チャネルに割り当てられた周波数領域リソースに対応するリソースインデックス及び前記ダウンリンクデータの変調符号化方式が含まれる。
【０１５５】
選択可能に、前記端末が前記狭帯域幅受信モードにある時に、前記受信ユニット３００はさらに前記狭帯域幅の物理ダウンリンク制御チャネルで、前記基地局から送信された、アップリンク伝送に対する確認フィードバック信号とハイブリッド自動再送プロセス識別子を受信するように構成される。
【０１５６】
図１６は本発明による端末の第二の実施例の構成図である。本実施例では、前記端末は、
プロセッサ２１０、メモリ２２０、送信機２３０、受信機２４０とバス２５０を備え、前記プロセッサ２１０、メモリ２２０、送信機２３０と受信機２４０がバス２５０を介して接続され、ここで、前記送信機２３０が信号を送信するように構成され、前記受信機２４０が信号を受信するように構成され、前記送信機２３０と前記受信機２４０がそれぞれ独立して設置され又は統合して設置され、前記メモリ２２０が一組のプログラムコードを記憶するように構成され、前記プロセッサ２１０が前記メモリ２２０に記憶されたプログラムコードを呼び出し、下記の操作を実行するように構成される。
【０１５７】
基地局によって設定された狭帯域幅受信モードの切り替えメッセージを前記受信機２４０を介して受信し、前記切り替えメッセージに、端末に指示する、前記狭帯域幅受信モードに入る時間及び前記狭帯域幅受信モードに入る時の周波数帯域における狭帯域幅の位置が含まれ、
前記切り替えメッセージに示される狭帯域幅に切り替えて情報を受信し、ここで、前記狭帯域幅の幅がシステム帯域幅の幅より小さい。
【０１５８】
選択可能に、前記プロセッサ２１０はさらに前記受信機２４０を介して前記狭帯域幅に位置する物理ダウンリンク制御チャネルにおける前記端末に対するダウンリンク制御情報を受信するように構成され、
前記ダウンリンク制御情報が、前記端末に対応する端末特定サーチスペースに位置し且つ前記端末に対応する制御チャネルユニットアグリゲーションレベルを使用する。
【０１５９】
選択可能に、前記プロセッサ２１０は、さらに前記基地局によって予め設定された、前記端末が前記狭帯域幅受信モードで狭帯域信号を検出する持続時間長及び狭帯域信号を検出する間隔周期を前記受信機２４０を介して受信し、前記間隔周期内で前記受信機２４０をオフにするように構成され、
又は、前記基地局から送信された、狭帯域信号の検出を停止する時刻及び信号の検出を再度開始する時刻の情報を前記受信機２４０を介して受信し、狭帯域信号の検出を停止する時刻に受信機をオフにし、信号の検出を再度開始する時刻に前記受信機２４０をオンにするように構成される。
【０１６０】
選択可能に、前記プロセッサ２１０はさらに前記端末が前記切り替えメッセージに示される狭帯域幅に切り替えて情報を受信した後、前記基地局から送信された周波数帯域インデックスと切り替え遅延を前記受信機２４０を介して受信し、前記周波数帯域インデックスと切り替え遅延に基づいて他の狭帯域幅又は他のシステム帯域幅に切り替えるように構成され、
ここで、前記周波数帯域インデックスが、異なる周波数領域位置に位置する前記端末が切り替える帯域幅を示すことに用いられ、前記切り替え遅延が、現在の時刻から前記端末が前記周波数帯域インデックスに示される帯域幅で信号を受信し始める時刻までの時間オフセットを示すことに用いられる。
【０１６１】
選択可能に、前記プロセッサ２１０はさらに前記端末が前記狭帯域幅受信モードにある時に、前記狭帯域幅の物理ダウンリンク制御チャネルで、前記基地局によって前記端末のためにスケジューリングされた、ダウンリンクデータを含む物理ダウンリンク共有チャネルを前記受信機２４０を介して受信するように構成され、ここで、前記ダウンリンクデータが予め設定されたキャパシティより小さい。
【０１６２】
選択可能に、前記物理ダウンリンク共有チャネルの周波数領域リソースが前記狭帯域幅内に位置し、前記狭帯域幅の物理ダウンリンク制御チャネルで受信されたダウンリンク制御情報に、前記物理ダウンリンク共有チャネルに割り当てられた周波数領域リソースに対応するリソースインデックス及び前記ダウンリンクデータの変調符号化方式が含まれる。
【０１６３】
選択可能に、前記プロセッサ２１０はさらに前記端末が前記狭帯域幅受信モードにある時に、前記狭帯域幅の物理ダウンリンク制御チャネルで、前記基地局から送信されたアップリンク伝送に対する確認フィードバック信号とハイブリッド自動再送プロセス識別子を前記受信機２４０を介して受信するように構成される。
【０１６４】
端末が狭帯域受信モードにある場合、システムのＰＤＣＣＨがＵＥ特定サーチスペースのみを含むが共通サーチスペースを含めないと、節電効果を達成することができるが、いくつかの状況で、基地局は依然として共通サーチスペースにいくつかの制御シグナリングをＵＥにブロードキャストさせる必要がある。この時に図１７−図２５に記載される方法を用いて狭帯域切り替え及び検出を行うことができる。
【０１６５】
図１７は本発明による切り替え方法の第九の実施例のフローチャートである。本実施例では、前記切り替え方法は以下のステップを含む。
【０１６６】
Ｓ１７０１において、基地局は狭帯域幅受信モードの切り替えメッセージを設定する。
【０１６７】
ここで、前記切り替えメッセージに端末に指示する、前記狭帯域幅受信モードに入る時間及び前記狭帯域幅受信モードに入る時の周波数帯域における狭帯域幅の位置が含まれる。
【０１６８】
選択可能に、前記狭帯域幅受信モードに入る時間が前記狭帯域幅受信モードに入る開始時間を含むことができ、端末は該切り替えメッセージを受信した後、指定された開始時間に狭帯域幅受信モードに入り、基地局から送信された、狭帯域幅受信モードを停止するメッセージを受信するまで他の狭帯域幅又はシステム帯域幅に切り替え、又は基地局から送信された、他の狭帯域幅又は他のシステム帯域幅に切り替えるメッセージを受信する時に、現在の狭帯域幅から他の狭帯域幅又は他のシステム帯域幅に切り替えることもできる。
【０１６９】
前記狭帯域幅受信モードに入る時間が前記狭帯域幅受信モードに入る時間以外、狭帯域幅受信モードに入る終了時間を含むことができ、端末は指定された開始時間に狭帯域幅受信モードに入り、指定された終了時間にシステム帯域幅に切り替えて情報を受信することができる。
【０１７０】
説明すべきものとして、マシンタイプ通信（ＭＴＣ：Ｍａｃｈｉｎｅ  Ｔｙｐｅ  Ｃｏｍｍｕｎｉｃａｔｉｏｎｓ）をサポートする端末の場合、１．４ＭＨｚ、即ち６つのＰＲＢの帯域幅でダウンリンク信号を復調することができる。このタイプの端末に対して、ダウンリンク帯域幅が狭くなるため、端末の電力消費が節約される。しかし、このタイプの端末が狭い帯域幅、例えば６つのＰＲＢみで動作することができるため、端末の機能は大きく制限される。本発明の実施例における狭帯域幅の幅がシステム帯域幅の幅より小さく、即ち本発明の実施例における狭帯域幅はシステム帯域幅より小さい周波数領域における幅である。従来の４Ｇシステムにおける１．４ＭＨｚの帯域幅の概念と異なる。例えば、従来の４Ｇシステムにおいて典型的なシステム帯域幅が１０ＭＨｚと２０ＭＨｚであり、システム帯域幅が１０ＭＨｚである場合、本発明の実施例における狭帯域幅は２ＭＨｚ、５ＭＨｚなどの１０ＭＨｚ未満の帯域幅であってもよく、システム帯域幅が２０ＭＨｚである場合、本発明の実施例における狭帯域幅は、５ＭＨｚ、１０ＭＨｚ、１２ＭＨｚなどの２０ＭＨｚ未満の帯域幅であってもよい。システム帯域幅が１．４ＭＨｚである場合、本発明の実施例における狭帯域幅は０．６ＭＨｚなどの１．４ＭＨｚ未満の帯域幅であってもよい。より大きい帯域幅の５Ｇシステムに対して、狭帯域幅は同様に５Ｇシステムにおけるシステム帯域幅より小さい帯域幅であってもよい。
【０１７１】
Ｓ１７０２において、前記端末へ前記切り替えメッセージを送信し、前記切り替えメッセージに示される狭帯域幅に切り替えて情報を受信するように前記端末に指示する。
【０１７２】
選択可能に、基地局は、上位層シグナリング、例えば無線リソース制御プロトコル（ＲＲＣ：Ｒａｄｉｏ  Ｒｅｓｏｕｒｃｅ  Ｃｏｎｔｒｏｌ）、又は物理層シグナリング、例えばＤＣＩにより、狭帯域幅のみを受信するモードに切り替えるように端末に指示する。基地局は狭帯域幅受信モードが開始する具体的な時刻、及び周波数帯域における狭帯域幅の具体的な位置を端末に示すことができる。このようにして端末は該切り替えメッセージに基づき、指定された狭帯域幅に切り替えて情報を受信することができる。狭帯域幅受信モードで、端末はそれ自身のＲＦ帯域幅を、システムが受信するように端末に指示することのみを受ける周波数帯域幅、即ち指定された狭帯域幅に再調整（ｒｅｔｕｎｅ）することができる。例えば、基地局が端末の狭帯域幅が６つのＰＲＢ（１５ｋ  Ｈｚサブ搬送波間隔を例とすると、１．４ＭＨｚである）であることを示す場合、端末はそれ自身のＲＦユニットをシステムによって示される狭帯域幅の周波数帯域位置の６つのＰＲＢに再調整する。この時、端末はこの６つのＰＲＢに位置する信号のみを受信することができる。受信ＲＦ帯域幅が減少するため、端末は節電効果を得ることができる。端末は広いシステム帯域幅で信号を検出することなく、システム帯域幅より小さい狭帯域幅で信号を受信及び検出するだけでよく、端末の動作量が減少し、端末の電力消費が低減し、端末による信号の受信効率が向上する。
【０１７３】
説明すべきものとして、前記狭帯域幅は第一の狭帯域幅又は第二の狭帯域幅を含むことができ、前記第一の狭帯域幅の物理ダウンリンク制御チャネルに端末特定サーチスペースが含まれ、前記第二の狭帯域幅の物理ダウンリンク制御チャネルに共通サーチスペースが含まれる。このようにして共通サーチスペースにおいていくつかの制御シグナリングをＵＥにブロードキャストするという目的を達成するために、第一の狭帯域幅から第二の狭帯域幅に切り替えるように端末に指示することができる。ここで、説明を容易にするために、第一の狭帯域幅と第二の狭帯域幅のみを用いるが、当然、第三の狭帯域幅又は第四の狭帯域幅などが存在してもよく、ここで端末特定サーチスペースを含む狭帯域幅と共通サーチスペースを含む狭帯域幅がある。
【０１７４】
当然、共通サーチスペースを含む狭帯域幅以外、基地局は共通サーチスペースを含むシステム帯域幅に切り替えて検出するように端末に指示することができる。
【０１７５】
以下に３つの切り替え方式を詳細に説明する。
【０１７６】
図１８は本発明による切り替え方法の第十の実施例のフローチャートである。本実施例では、ステップＳ１８０１−Ｓ１８０２がＳ１７０１−Ｓ１７０２と同じであり、前記第一の狭帯域幅と前記第二の狭帯域幅を切り替える必要がある場合、前記切り替え方法はさらに以下のステップを含む。
【０１７７】
Ｓ１８０３において、前記基地局は、前記端末が前記第一の狭帯域幅及び前記第二の狭帯域幅をそれぞれ検出するための検出パラメータを設定する。
【０１７８】
前記検出パラメータは検出の時間帯を含み、又は検出の周期、開始時刻と一回検出の時間長を含む。
【０１７９】
例えば、基地局は端末に異なる狭帯域幅を設定することができ、ある狭帯域幅が端末特定サーチスペースを含み、ある狭帯域幅が共通サーチスペースを含む。基地局は特定サーチスペースを含む狭帯域幅を検出する時間帯、共通サーチスペースを含む狭帯域幅を検出する時間帯を端末に直接示することができる。具体的な時間帯を示す以外、異なる狭帯域幅に対して異なる検出時間帯、開始時刻及び一回検出の時間長を設定することができ、例えば第一の狭帯域幅の検出周期がＬ１であり、開始時刻がＴ１であり、一回検出の時間長が（Ｔ２−Ｔ１）であり、端末は各周期の固定された時間帯内で第一の狭帯域幅に切り替えて検出する。
【０１８０】
Ｓ１８０４において、前記検出パラメータを前記端末に送信し、前記検出パラメータに基づいて切り替え及び検出を行うように前記端末に指示する。
【０１８１】
検出パラメータの具体的な設定により、異なる狭帯域幅で切り替え及び検出を行うように端末に指示することができる。
【０１８２】
図１９は本発明による図１８に示す切り替え方法を用いて異なる狭帯域幅で切り替えることを示す図である。
【０１８３】
図１９に示すように、第一の狭帯域幅（狭帯域幅１が狭帯域ＰＤＣＣＨ１に対応する）と第二の狭帯域幅（狭帯域幅２が狭帯域ＰＤＣＣＨ２に対応する）が含まれ、この２つの狭帯域幅の周波数領域位置が一部で重なることができ、又は完全に重ならないことができる（図１９において完全に重ならない）。基地局は異なる時間帯で異なる狭帯域幅を検出するように端末を配置することができる。図１９に示すように、端末はＴ１〜Ｔ２、Ｔ５〜Ｔ６時間内で狭帯域幅１を検出し、端末はＴ３〜Ｔ４、Ｔ７〜Ｔ８時間内で狭帯域幅２を検出する。Ｔ２〜Ｔ３、Ｔ４〜Ｔ５、Ｔ６〜Ｔ７の時間は端末が異なる狭帯域幅間で再調整する時間である。システムは端末がどの狭帯域幅をいつ検出するかを上記時間パターン（ｔｉｍｅ  ｐａｔｔｅｒｎ）で示すことができ、またどのシンボル（ｓｙｍｂｏｌ）でどの狭帯域幅を検出するか、どのシンボルが再調整に用いられるかを具体的に示すことができる。
【０１８４】
又は検出周期、開始時刻と一回検出の時間長を示すことで周期的検出を実現することができる。例えば、基地局は異なる狭帯域幅に対して異なる検出周期、開始時刻と一回検出の時間長を設定することができる。図１９を例とし、狭帯域幅１の周期がＬ１であり、開始時刻がＴ１であり、（一つの可能な実施形態では、さらに検出の終了時刻、例えばＴ２を設定することができる）、毎回の検出の持続時間長が（Ｔ２−Ｔ１）であり、狭帯域幅２の周期がＬ２であり、開始時刻がＴ３であり、毎回の検出の持続時間が（Ｔ４−Ｔ３）である。このようにして次の周期に入る場合、端末はこれらの検出パラメータに基づいてＴ５〜Ｔ６で狭帯域幅１に再度切り替えて検出し、Ｔ７〜Ｔ８で狭帯域幅２に切り替えて検出する。
【０１８５】
接続状態になった端末に対して、基地局が通常、共通探索スペースを介して端末へ制御シグナリングを頻繁に送信しないため、図１８〜図１９で説明した切り替え方法に加えて、図１９で説明した方法によって切り替えることができる。
【０１８６】
図２０は本発明による切り替え方法の第十一の実施例のフローチャートである。本実施例では、ステップＳ２００１−Ｓ２００２がＳ１７０１−Ｓ１７０２と同じであり、前記第一の狭帯域幅と前記第二の狭帯域幅を切り替える必要がある場合、前記切り替え方法はさらに以下のステップを含む。
【０１８７】
Ｓ２００３において、前記第一の狭帯域幅に位置する物理ダウンリンク制御チャネルで前記端末に対するダウンリンク制御情報を送信し、前記第二の狭帯域幅の物理ダウンリンク制御チャネルに含まれる共通サーチスペースを検出するように前記端末をトリガする。
【０１８８】
選択可能に、前記ダウンリンク制御情報に、前記第二の狭帯域幅の時間周波数位置、端末の検出の持続時間、及び検出が完了された後に端末が監視する必要がある狭帯域幅が含まれる。
【０１８９】
このようにして基地局は第一の狭帯域幅で伝送されたＰＤＣＣＨにおける端末特定サーチスペースに含まれるＤＣＩにより、別の狭帯域幅、例えば第二の狭帯域幅（又はシステム帯域幅）に含まれる共通サーチスペースを検出するように端末をトリガすることができる。ＤＣＩにおいて、第二の狭帯域幅（又はＰＤＣＣＨ）の時間周波数位置、端末の検出の持続時間長、及び検出が完了された後に端末が監視（ｍｏｎｉｔｏｒ）し続ける必要がある狭帯域幅を端末に示すことができる。ここで、基地局は元の第一の狭帯域幅に戻るように端末に指示し、又は端末に一つの新しい狭帯域幅を割り当て監視することができ、一つの新しい狭帯域幅を割り当て監視する場合、端末へ新しい狭帯域幅の情報、例えば該狭帯域幅の位置、該端末の再調整時間などを提供する必要がある。
【０１９０】
このような端末特定サーチスペースのＤＣＩにより、共通サーチスペースを監視するように端末をトリガする方法は、必要に応じてトリガするため、電力消費の節約効果が優れる。
【０１９１】
ＤＣＩによりトリガすることで狭帯域幅への切り替えを実現する場合、端末特定サーチスペースのチャネル品質が悪くなり、ＤＣＩトリガシグナリングが失う可能性があるため、図２１で説明した切り替え方法を用いて切り替えることもできる。
【０１９２】
図２１は本発明による切り替え方法の第十二の実施例のフローチャートである。本実施例では、ステップＳ２１０１−Ｓ２１０２がＳ１７０１−Ｓ１７０２と同じであり、前記第一の狭帯域幅と前記第二の狭帯域幅の間で切り替える必要がある場合、前記切り替え方法はさらに以下のステップを含む。
【０１９３】
Ｓ２１０３において、前記基地局は、前記第二の狭帯域幅を検出する周期を設定する。
【０１９４】
Ｓ２１０４において、前記周期の情報を前記端末に送信し、前記周期に基づいて前記第二の狭帯域幅の物理ダウンリンク制御チャネルに含まれる共通サーチスペースを検出するように前記端末に指示する。
【０１９５】
Ｓ２１０５において、前記周期内で、前記第一の狭帯域幅と前記第二の狭帯域幅を切り替える必要がある場合、前記第一の狭帯域幅に位置する物理ダウンリンク制御チャネルで前記端末に対するダウンリンク制御情報を送信し、前記第二の狭帯域幅の物理ダウンリンク制御チャネルに含まれる共通サーチスペースを検出するように前記端末をトリガする。
【０１９６】
選択可能に、前記ダウンリンク制御情報に、前記第二の狭帯域幅の時間周波数位置、端末の検出の持続時間、及び検出が完了された後に端末が監視する必要がある狭帯域幅が含まれる。
【０１９７】
基地局は共通サーチスペースを含む第二の狭帯域幅を端末に配置することができ、ここでの第二の狭帯域幅がシステム帯域幅によって置き換えられてもよい。基地局は第二の狭帯域幅に対して長い検出周期を設定することができ、このようにして端末は長い時間間隔の後に共通サーチスペースを含む第二の狭帯域幅を一回検出する。同時に、この検出周期内で、切り替えが必要である場合、基地局は第一の狭帯域幅の端末特定サーチスペースにおけるＤＣＩにより、共通サーチスペースを含む第二の狭帯域幅を検出するように端末をトリガすることもできる。
【０１９８】
ここでトリガ回数が何ら限定されなく、そして検出周期が到来する場合、端末は周期に基づいて第二の狭帯域幅の共通サーチスペースを検出することができ、又は、前記基地局はさらに前記端末に指示するための、前記周期に基づく前記第二の狭帯域幅の検出を一時停止するプリセット時間長を設定し、前記プリセット時間長を前記端末に送信し、前記プリセット時間長内で前記周期に基づく前記第二の狭帯域幅の検出を一時停止するように前記端末に指示し、前記プリセット時間長内で前記第一の狭帯域幅と前記第二の狭帯域幅を切り替える必要がある場合、再度、前記第一の狭帯域幅に位置する物理ダウンリンク制御チャネルで前記端末に対するダウンリンク制御情報を送信し、前記第二の狭帯域幅の物理ダウンリンク制御チャネルに含まれる共通サーチスペースを検出するように前記端末をトリガすることができる。このようにして、過剰な検出を減らし、電力消費を低減することができる。
【０１９９】
図２２は本発明による切り替え方法の第十三の実施例のフローチャートである。本実施例では、前記切り替え方法は以下のステップを含む。
【０２００】
Ｓ２２０１において、端末は基地局によって設定された狭帯域幅受信モードの切り替えメッセージを受信する。
【０２０１】
前記切り替えメッセージに端末に指示する、前記狭帯域幅受信モードに入る時間及び前記狭帯域幅受信モードに入る時の周波数帯域における狭帯域幅の位置が含まれる。
【０２０２】
Ｓ２２０２において、前記切り替えメッセージに示される狭帯域幅に切り替えて情報を受信する。
【０２０３】
ここで、前記狭帯域幅の幅がシステム帯域幅の幅より小さい。前記狭帯域幅は第一の狭帯域幅又は第二の狭帯域幅を含み、前記第一の狭帯域幅の物理ダウンリンク制御チャネルに端末特定サーチスペースが含まれ、前記第二の狭帯域幅の物理ダウンリンク制御チャネルに共通サーチスペースが含まれる。
【０２０４】
図２２は端末側の実施例の説明であり、その具体的なプロセスについて図１７に示す基地局側の実施例の説明を参照することができ、ここで説明を省略する。
【０２０５】
図２３は本発明による切り替え方法の第十四の実施例のフローチャートである。本実施例では、図２２に示す実施例と比較し、前記第一の狭帯域幅と前記第二の狭帯域幅を切り替える必要がある場合、前記切り替え方法はさらに以下を含む。
【０２０６】
Ｓ２３０３において、前記端末は前記基地局から送信された検出パラメータを受信する。
【０２０７】
前記検出パラメータは、前記基地局によって設定された、前記端末が前記第一の狭帯域幅と前記第二の狭帯域幅をそれぞれ検出するための検出パラメータであり、前記検出パラメータは、検出の時間帯を含み、又は検出の周期、開始時刻と一回検出の時間長を含む。
【０２０８】
Ｓ２３０４において、前記端末は前記検出パラメータに基づいて切り替え及び検出を行う。
【０２０９】
図２３は端末側の実施例の説明であり、その具体的なプロセスについて図１８−図１９に示す基地局側の実施例の説明を参照することができ、ここで説明を省略する。
【０２１０】
図２４は本発明による切り替え方法の第十五の実施例のフローチャートである。本実施例では、図２２に示す実施例と比較し、前記第一の狭帯域幅と前記第二の狭帯域幅を切り替える必要がある場合、前記切り替え方法はさらに以下を含む。
【０２１１】
Ｓ２４０３において、前記端末は前記基地局が前記第一の狭帯域幅に位置する物理ダウンリンク制御チャネルで送信した前記端末に対するダウンリンク制御情報を受信する。
【０２１２】
Ｓ２４０４において、前記ダウンリンク制御情報に基づいて前記第二の狭帯域幅の物理ダウンリンク制御チャネルに含まれる共通サーチスペースを検出する。
【０２１３】
前記ダウンリンク制御情報に、前記第二の狭帯域幅の時間周波数位置、端末の検出の持続時間、及び検出が完了された後に端末が監視する必要がある狭帯域幅が含まれる。
【０２１４】
図２４は端末側の実施例の説明であり、その具体的なプロセスについて図２０に示す基地局側の実施例の説明を参照することができ、ここで説明を省略する。
【０２１５】
図２５は本発明による切り替え方法の第十六の実施例のフローチャートである。本実施例では、図２２に示す実施例と比較し、前記第一の狭帯域幅と前記第二の狭帯域幅を切り替える必要がある場合、前記切り替え方法はさらに以下を含む。
【０２１６】
Ｓ２５０３において、前記端末は、前記基地局によって設定された、前記第二の狭帯域幅を検出する周期の情報を受信する。
【０２１７】
Ｓ２５０４において、前記周期に基づいて前記第二の狭帯域幅の物理ダウンリンク制御チャネルに含まれる共通サーチスペースを検出する。
【０２１８】
Ｓ２５０５において、前記周期内で、前記基地局が前記第一の狭帯域幅に位置する物理ダウンリンク制御チャネルで送信した前記端末に対するダウンリンク制御情報を受信した場合、前記端末は前記第二の狭帯域幅の物理ダウンリンク制御チャネルに含まれる共通サーチスペースを検出する。
【０２１９】
前記ダウンリンク制御情報に、前記第二の狭帯域幅の時間周波数位置、端末の検出の持続時間、及び検出が完了された後に端末が監視する必要がある狭帯域幅が含まれる。
【０２２０】
選択可能に、前記周期内で、前記端末が前記第一の狭帯域幅と前記第二の狭帯域幅を切り替える場合、前記切り替え方法はさらに以下を含む。
【０２２１】
前記端末は、前記基地局によって設定された、前記周期に基づく前記第二の狭帯域幅の検出を一時停止するように前記端末に指示するプリセット時間長を受信する。
【０２２２】
前記プリセット時間長内で前記周期に基づく前記第二の狭帯域幅の検出を一時停止する。
【０２２３】
前記プリセット時間長内で、前記基地局が前記第一の狭帯域幅に位置する物理ダウンリンク制御チャネルで送信した前記端末に対するダウンリンク制御情報を再度受信した場合、前記端末は前記第二の狭帯域幅の物理ダウンリンク制御チャネルに含まれる共通サーチスペースを検出する。
【０２２４】
図２５は端末側の実施例の説明であり、その具体的なプロセスについて図２１に示す基地局側の実施例の説明を参照することができ、ここで説明を省略する。
【０２２５】
図２６は本発明による基地局の第三の実施例の構成図である。本実施例では、前記基地局は以下を備える。
【０２２６】
設定ユニット５００は、狭帯域幅受信モードの切り替えメッセージを設定するように構成され、前記切り替えメッセージに、端末に指示する、前記狭帯域幅受信モードに入る時間及び前記狭帯域幅受信モードに入る時の周波数帯域における狭帯域幅の位置が含まれる。
【０２２７】
送信ユニット６００は、前記端末へ前記切り替えメッセージを送信し、前記切り替えメッセージに示される狭帯域幅に切り替えて情報を受信するように前記端末に指示するように構成され、ここで、前記狭帯域幅の幅がシステム帯域幅の幅より小さく、前記狭帯域幅が第一の狭帯域幅又は第二の狭帯域幅を含み、前記第一の狭帯域幅の物理ダウンリンク制御チャネルに端末特定サーチスペースが含まれ、前記第二の狭帯域幅の物理ダウンリンク制御チャネルに共通サーチスペースが含まれる。
【０２２８】
選択可能に、前記第一の狭帯域幅と前記第二の狭帯域幅を切り替える必要がある場合、前記設定ユニット５００はさらに前記端末が前記第一の狭帯域幅と前記第二の狭帯域幅をそれぞれ検出するための検出パラメータを設定するように構成され、前記検出パラメータが検出の時間帯を含み、又は検出の周期、開始時刻と一回検出の時間長を含む。
【０２２９】
前記送信ユニット６００はさらに前記検出パラメータを前記端末に送信し、前記検出パラメータに基づいて切り替え及び検出を行うように前記端末に指示するように構成される。
【０２３０】
選択可能に、前記第一の狭帯域幅と前記第二の狭帯域幅を切り替える必要がある場合、前記送信ユニット６００はさらに前記第一の狭帯域幅に位置する物理ダウンリンク制御チャネルで前記端末に対するダウンリンク制御情報を送信し、前記第二の狭帯域幅の物理ダウンリンク制御チャネルに含まれる共通サーチスペースを検出するように前記端末をトリガするように構成され、前記ダウンリンク制御情報に、前記第二の狭帯域幅の時間周波数位置、端末の検出の持続時間、及び検出が完了された後に端末が監視する必要がある狭帯域幅が含まれる。
【０２３１】
選択可能に、前記第一の狭帯域幅と前記第二の狭帯域幅を切り替える必要がある場合、前記設定ユニット５００はさらに前記第二の狭帯域幅を検出する周期を設定するように構成される。
【０２３２】
前記送信ユニット６００はさらに前記周期の情報を前記端末に送信し、前記周期に基づいて前記第二の狭帯域幅の物理ダウンリンク制御チャネルに含まれる共通サーチスペースを検出するように前記端末に指示するように構成される。
【０２３３】
前記周期内で、前記第一の狭帯域幅と前記第二の狭帯域幅を切り替える必要がある場合、前記送信ユニット６００はさらに前記第一の狭帯域幅に位置する物理ダウンリンク制御チャネルで前記端末に対するダウンリンク制御情報を送信し、前記第二の狭帯域幅の物理ダウンリンク制御チャネルに含まれる共通サーチスペースを検出するように前記端末をトリガするように構成され、前記ダウンリンク制御情報に、前記第二の狭帯域幅の時間周波数位置、端末の検出の持続時間、及び検出が完了された後に端末が監視する必要がある狭帯域幅が含まれる。
【０２３４】
選択可能に、前記周期内で、前記端末が前記第一の狭帯域幅と前記第二の狭帯域幅を切り替える場合、前記設定ユニット５００はさらに前記周期に基づく前記第二の狭帯域幅の検出を一時停止するように端末に指示するように構成される。
【０２３５】
前記送信ユニット６００はさらに前記プリセット時間長を前記端末に送信し、前記プリセット時間長内で前記周期に基づく前記第二の狭帯域幅の検出を一時停止するように前記端末に指示するように構成される。
【０２３６】
前記プリセット時間長内で、前記第一の狭帯域幅と前記第二の狭帯域幅を切り替える必要がある場合、前記送信ユニット６００はさらに再度、前記第一の狭帯域幅に位置する物理ダウンリンク制御チャネルで前記端末に対するダウンリンク制御情報を送信し、前記第二の狭帯域幅の物理ダウンリンク制御チャネルに含まれる共通サーチスペースを検出するように前記端末をトリガするように構成される。
【０２３７】
図２７は本発明による基地局の第四の実施例の構成図である。本実施例では、前記基地局は、
プロセッサ３１０、メモリ３２０、送受信機３３０とバス３４０を備え、前記プロセッサ３１０、メモリ３２０と送受信機３３０がバス３４０を介して接続され、ここで、前記送受信機３３０が信号を送受信し、端末と通信するように構成され、前記メモリ３２０が一組のプログラムコードを記憶するように構成され、前記プロセッサ３１０が前記メモリ３２０に記憶されたプログラムコードを呼び出し、本発明の図１７−図２１のいずれかの実施例におけるステップを実行するように構成される。
【０２３８】
図２８は本発明に係る端末の第三の実施例の構成図である。本実施例では、前記端末は以下を備える。
【０２３９】
受信ユニット７００は、基地局によって設定された狭帯域幅受信モードの切り替えメッセージを受信するように構成され、前記切り替えメッセージに、端末に指示する、前記狭帯域幅受信モードに入る時間及び前記狭帯域幅受信モードに入る時の周波数帯域における狭帯域幅の位置が含まれる。
【０２４０】
切り替えユニット８００は、前記切り替えメッセージに示される狭帯域幅に切り替えて情報を受信するように構成され、ここで、前記狭帯域幅の幅がシステム帯域幅の幅より小さく、前記狭帯域幅が第一の狭帯域幅又は第二の狭帯域幅を含み、前記第一の狭帯域幅の物理ダウンリンク制御チャネルに端末特定サーチスペースが含まれ、前記第二の狭帯域幅の物理ダウンリンク制御チャネルに共通サーチスペースが含まれる。
【０２４１】
選択可能に、前記第一の狭帯域幅と前記第二の狭帯域幅を切り替える必要がある場合、前記受信ユニット７００はさらに前記基地局から送信された検出パラメータを受信するように構成され、前記検出パラメータが前記基地局によって設定された、前記端末が前記第一の狭帯域幅と前記第二の狭帯域幅をそれぞれ検出するための検出パラメータであり、前記検出パラメータが検出の時間帯を含み、又は検出の周期、開始時刻と一回検出の時間長を含む。
【０２４２】
前記切り替えユニット８００は、さらに前記検出パラメータに基づいて切り替え及び検出を行うように構成される。
【０２４３】
選択可能に、前記第一の狭帯域幅と前記第二の狭帯域幅を切り替える必要がある場合、前記受信ユニット７００は、さらに前記基地局が前記第一の狭帯域幅に位置する物理ダウンリンク制御チャネルで送信した前記端末に対するダウンリンク制御情報を受信するように構成される。
【０２４４】
前記切り替えユニット８００はさらに前記ダウンリンク制御情報に基づいて前記第二の狭帯域幅の物理ダウンリンク制御チャネルに含まれる共通サーチスペースを検出するように構成され、前記ダウンリンク制御情報に、前記第二の狭帯域幅の時間周波数位置、端末の検出の持続時間、及び検出が完了された後に端末が監視する必要がある狭帯域幅が含まれる。
【０２４５】
選択可能に、前記第一の狭帯域幅と前記第二の狭帯域幅を切り替える必要がある場合、前記受信ユニット７００はさらに前記基地局によって設定された、前記第二の狭帯域幅を検出する周期の情報を受信するように構成される。
【０２４６】
前記切り替えユニット８００はさらに前記周期に基づいて前記第二の狭帯域幅の物理ダウンリンク制御チャネルに含まれる共通サーチスペースを検出するように構成される。
【０２４７】
前記周期内で、前記受信ユニット７００が前記基地局が前記第一の狭帯域幅に位置する物理ダウンリンク制御チャネルで送信した前記端末に対するダウンリンク制御情報を受信した場合、前記切り替えユニット８００はさらに前記第二の狭帯域幅の物理ダウンリンク制御チャネルに含まれる共通サーチスペースを検出するように構成され、前記ダウンリンク制御情報に、前記第二の狭帯域幅の時間周波数位置、端末の検出の持続時間、及び検出が完了された後に端末が監視する必要がある狭帯域幅が含まれる。
【０２４８】
選択可能に、前記周期内で、前記端末が前記第一の狭帯域幅と前記第二の狭帯域幅を切り替える場合、前記受信ユニット７００はさらに前記基地局によって設定された、前記端末に指示するための、前記周期に基づく前記第二の狭帯域幅の検出を一時停止するプリセット時間長を受信するように構成される。
【０２４９】
前記切り替えユニット８００はさらに前記プリセット時間長内で前記周期に基づく前記第二の狭帯域幅の検出を一時停止するように構成される。
【０２５０】
前記受信ユニット７００が前記プリセット時間長内で、前記基地局が前記第一の狭帯域幅に位置する物理ダウンリンク制御チャネルで送信した前記端末に対するダウンリンク制御情報を再度受信した場合、前記切り替えユニット８００はさらに前記第二の狭帯域幅の物理ダウンリンク制御チャネルに含まれる共通サーチスペースを検出するように構成される。
【０２５１】
図２９は本発明による端末の第四の実施例の構成図である。本実施例では、前記端末は、
プロセッサ４１０、メモリ４２０、送信機４３０、受信機４４０とバス４５０を備え、前記プロセッサ４１０、メモリ４２０、送信機４３０と受信機４４０がバス４５０を介して接続され、ここで、前記送信機４３０が信号を送信するように構成され、前記受信機４４０が信号を受信するように構成され、前記送信機４３０と前記受信機４４０がそれぞれ独立して設置され又は統合して設置され、前記メモリ４２０が一組のプログラムコードを記憶するように構成され、前記プロセッサ４１０が前記メモリ４２０に記憶されたプログラムコードを呼び出し、図２２−図２５のいずれかの実施例におけるステップを実行するように構成される。
【０２５２】
本実施例で説明される基地局は本発明において図２−図６、図１７−図２１と組み合わせて説明された方法の実施例における一部又は全てのプロセスを実施し、本発明において図１３及び図２６と組み合わせて説明された装置の実施例における一部又は全ての機能を実行することに用いられてもよく、本実施例で説明される端末は本発明において図７−図９、図２２−図２５と組み合わせて説明された方法の実施例における一部又は全てのプロセスを実施し、本発明において図１５及び図２８と組み合わせて説明された装置の実施例における一部又は全ての機能を実行することに用いられてもよく、ここで説明を省略する。
【０２５３】
一つ又は複数の例では、説明される機能は、ハードウェア、ソフトウェア、ファームウェア又はそれらの任意の組合せで実施されてもよい。ソフトウェアで実施される場合、機能は、１つ又は複数の命令又はコードとしてコンピュータ可読媒体に記憶され又はコンピュータ可読媒体を介して送信され、そしてハードウェアに基づく処理ユニットによって実行されてもよい。コンピュータ可読媒体はコンピュータ可読記憶媒体（それが例えばデータ記憶媒体などの有形媒体に対応する）又は通信媒体を含むことができ、通信媒体が通信プロトコルに従ってある場所から別の場所へのコンピュータプログラムの伝送を促進するいずれかの媒体を含む（例として挙げる）。このようにしてコンピュータ可読媒体はほぼ（１）非一時的有形コンピュータ可読記憶媒体、又は（２）例えば信号又は搬送波などの通信媒体に対応することができる。データ記憶媒体は、本明細書で説明される技術を実施するために命令、コード及び／又はデータ構造を検索するように一つ又は複数のコンピュータ又は一つ又は複数のプロセッサによってアクセスされてもよい任意の利用可能媒体であってもよい。コンピュータプログラム製品はコンピュータ可読媒体を含むことができる。
【０２５４】
限定ではなく例として、いくつかのコンピュータ可読記憶媒体は、ＲＡＭ、ＲＯＭ、ＥＥＰＲＯＭ、ＣＤ−ＲＯＭ又は他の光ディスク記憶装置、磁気ディスクメモリ又は他の磁気記憶装置、又はフラッシュメモリ、又は命令又はデータ構造の形態のプログラムを記憶することに用いられてもよく且つコンピュータによってアクセスされてもよい任意の他の媒体を含むことができる。そして、いかなる接続は適切にコンピュータ可読記憶媒体と呼ばれてもよい。例えば、同軸ケーブル、光ケーブル、ツイストペア、デジタル加入者線（ＤＳＬ）又は無線技術（例えば、赤外線、ラジオ及びマイクロ波）を使用してＷｅｂサイト、サーバ又は他のリモートソースから命令を送信する場合、同軸ケーブル、光ケーブル、ツイストペア、ＤＳＬ又は無線技術（例えば赤外線、ラジオ及びマイクロ波など）に媒体の定義に含まれる。しかしながら、理解すべきものとして、コンピュータ可読記憶媒体及びデータ記憶媒体は、接続、搬送波、信号又は他の一時的媒体を含めなく、非一時的且つ有形の記憶媒体に関連する。本明細書で使用する場合、磁気ディスク及び光ディスクは、コンパクトディスク（ＣＤ）、レーザディスク、光ディスク、デジタルビデオディスク（ＤＶＤ）、フレキシブルディスク及びブルーレイディスクを含み、ここで磁気ディスクが通常データを磁気的にコピーするが、光ディスクがレーザを介してデータを光学的にコピーする。以上の各ものの組み合わせはさらにコンピュータ可読媒体の範囲内に含まれるべきである。
【０２５５】
例えば一つ又は複数のデジタル信号プロセッサ（ＤＳＰ）、汎用マイクロプロセッサ、特定用途向け集積回路（ＡＳＩＣ）、フィールドプログラマブルロジックアレイ（ＦＰＧＡ）又は他の同等の集積又は離散論理回路などの一つ又は複数のプロセッサで命令を実行する。したがって、本明細書で使用される用語「プロセッサ」は、上記構造又は本明細書に記載される技術の実施に適する任意の他の構造のいずれか一つを指すことができる。また、いくつかの態様では、本明細書で説明される機能は、符号化及び復号化のために構成された専用ハードウェア及び／又はソフトウェアモジュールに提供し、又は組み合わせ式コーデックに組み込むことができる。そして、前記技術は完全に一つ又は複数の回路又は論理素子に実施されてもよい。
【０２５６】
本発明の技術は、複数の装置によって広く実施されてもよく、前記装置又は機器が無線送受話器、集積回路（ＩＣ）又はＩＣセット（例えばチップセット）を含む。本発明では、開示された技術を実行するように構成される装置の機能を強化するように様々な部材、モジュール又はユニットを説明する態様において、異なるハードウェアユニットによって実施されることが必ずしも要求されない。具体的には、上述しように、様々なユニットは、コーデックハーウェアユニットに組み合わせられてもよく、又は相互運用可能なハードウェアユニット（上述した一つ又は複数のプロセッサ）のセットと適切なソフトウェア及び／又はファームウェアの組み合わせで提供される。
【０２５７】
理解すべきものとして、明細書全体にわたって言及する「一つの実施例」又は「一実施例」は、実施例と関連する特定特徴、構造又は特性が本発明の少なくとも一つの実施例に含まれることを意味する。したがって、本明細書を通して使用される「一つの実施例において」又は「一実施形態において」は、必ずしも同じ実施例を意味するわけではない。また、これらの特定の特徴、構造又は特性は一つ又は複数の実施例に任意の適切な方式で組合わせられてもよい。
【０２５８】
本発明の様々な実施例では、理解すべきものとして、上記各プロセスの番号の大きさが実行順序を意味せず、各プロセスの実行順序はその機能と内部論理で確定されるべきであり、本発明の実施例の実施プロセスのいかなる限定を構成すべきではないと理解すべきである。
【０２５９】
また、本明細書で用語「システム」と「ネットワーク」は常に本明細書で互換的に使用される。理解すべきものとして、本明細書では用語「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【０２６０】
理解すべきものとして、本出願で提供される実施例では、「Ａに対応するＢ」はＢがＡと関連することを示し、Ａに基づいてＢを確定することができる。しかし、理解すべきものとして、Ａに基づいてＢを確定することはＡのみに基づいてＢを確定することを意味せず、Ａ及び／又は他の情報に基づいてＢを確定することができる。
【０２６１】
当業者であれば、本明細書で開示された実施例と組み合わせて説明された各例のユニット及びアルゴリズムステップは、電子ハードウェア、又はコンピュータソフトウェアと電子ハードウェアの組み合わせで実現されてもよいと理解でき、ハードウェアとソフトウェアの互換性を明確に説明するために、以上の説明において各例の構成及びステップを機能に従って一般的に説明した。これらの機能がハードウエア又はソフトウエアで実行されるかは、技術的解決策の特定応用と設計制約条件に依存する。当業者は各特定の応用に対して異なる方法を用いて記述される機能を実現することができるが、このような実現は本発明の範囲を超えると見なしてはならない。
【０２６２】
当業者は、便利及び簡潔に説明するために、上記のシステム、装置及びユニットの具体的な動作プロセスについて、前記方法の実施例における対応するプロセスを参照できるため、ここでは説明を省略することを明確に理解することができる。
【０２６３】
本出願が提供する、いくつかの実施例では、開示されたシステム、装置及び方法は、他の方式により実現されてもよいと理解すべきである。例えば、上記の装置の実施例は例示的なものだけであり、例えば、前記ユニットの区分は、論理機能的区分だけであり、実際に実施する時に他の区分モードもあり得て、例えば複数のユニット又は構成要素は組み合わせてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又は機能モジュールを介する間接的結合又は通信接続であってもよく、電気的、機械的又は他の形態であってもよい。
【０２６４】
分離部材として説明された前記ユニットは物理的に分離するものであってもよく又は物理的に分離するものでなくてもよく、ユニットとして表示された部材は物理ユニットであってもよく又は物理ユニットでなくてもよく、即ち一つの箇所に位置してもよく、又は複数のネットワークユニットに分布してもよい。実際のニーズに応じてそのうちの一部又は全てのユニットを選択して本実施例の技術的解決策の目的を達成することができる。
【０２６５】
また、本発明の各実施例における各機能ユニットは一つの処理ユニットに統合されてもよく、個々のユニットは単独で物理的に存在してもよく、二つ又は二つ以上のユニットは一つのユニットに統合されてもよい。
【０２６６】
以上は、本発明の具体的な実施形態だけであり、本発明の保護範囲はこれに制限されず、当業者が本発明に開示された技術範囲内で容易に想到し得る変化又は入れ替わりが全て本発明の保護範囲以内に含まれるべきである。したがって、本発明の保護範囲は前記請求項の保護範囲に準ずるべきである。
【図１】
2020515108.tif 000004
【図２】
2020515108.tif 000005
【図３】
2020515108.tif 000006
【図４】
2020515108.tif 000007
【図５】
2020515108.tif 000008
【図６】
2020515108.tif 000009
【図７】
2020515108.tif 000010
【図８】
2020515108.tif 000011
【図９】
2020515108.tif 000012
【図１０】
2020515108.tif 000013
【図１１】
2020515108.tif 000014
【図１２】
2020515108.tif 000015
【図１３】
2020515108.tif 000016
【図１４】
2020515108.tif 000017
【図１５】
2020515108.tif 000018
【図１６】
2020515108.tif 000019
【図１７】
2020515108.tif 000020
【図１８】
2020515108.tif 000021
【図１９】
2020515108.tif 000022
【図２０】
2020515108.tif 000023
【図２１】
2020515108.tif 000024
【図２２】
2020515108.tif 000025
【図２３】
2020515108.tif 000026
【図２４】
2020515108.tif 000027
【図２５】
2020515108.tif 000028
【図２６】
2020515108.tif 000029
【図２７】
2020515108.tif 000030
【図２８】
2020515108.tif 000031
【図２９】
2020515108.tif 000032
【国際調査報告】
2020515108.tif 000033
2020515108.tif 000034
2020515108.tif 000035
2020515108.tif 000036